(57)【特許請求の範囲】
【請求項１】
予め規定された調整パラメータに基づいてホワイトバランスを取りながら所定の対象物を撮影することにより前記対象物の画像データを生成する画像データ生成装置によってテスト撮影され、該テスト撮影により生成される画像データが該テスト撮影以外の他の撮影により生成された画像データの色補正処理に利用されるカラーチャートであって、
所定の領域内に配列された複数の色のカラーパッチを備え、
前記カラーパッチが、各色を積分すると無彩色になるように配列された
カラーチャート。
【請求項２】
請求項１に記載のカラーチャートであって、
前記画像データ生成装置は、前記ホワイトバランスを取ると共に、前記対象物の周辺環境に応じた露光量を自動的に決定して該対象物を撮影することにより該対象物の画像データを生成する装置であり、
前記カラーパッチの各色を積分した結果である無彩色を、Ｌ*ａ*ｂ*表色系において明度を表わすＬ*の値が５０近傍の色とした
カラーチャート。
【請求項３】
請求項１または２に記載のカラーチャートであって、
前記画像データ生成装置は、前記ホワイトバランスを取ると共に、前記対象物の周辺環境に応じた露光量を自動的に決定して該対象物を撮影することにより該対象物の画像データを生成する装置であり、
Ｌ*ａ*ｂ*表色系において明度を表わすＬ*の値が５０近傍のカラーパッチをチャート中央部に備えた
カラーチャート。
【請求項４】
請求項１ないし３のいずれかに記載のカラーチャートであって、
前記複数の色のカラーパッチが配列される前記所定の領域は略四角形の領域であり、
該略四角形の領域が、前記画像データ生成装置の撮影有効領域とほぼ同じ縦横の構成比率で形成された
カラーチャート。
【請求項５】
前記所定の領域の周囲に、Ｌ*ａ*ｂ*表色系において明度を表わすＬ*の値が５０近傍の無彩色の領域を備えた請求項１ないし４のいずれかに記載のカラーチャート。
【請求項６】
前記複数のカラーパッチは、ｓＲＧＢ色空間の領域外の色のカラーパッチを含むことを特徴とする請求項１ないし５のいずれかに記載のカラーチャート。
【請求項７】
前記所定の領域の天地左右を識別する情報を、前記色補正処理を行なう装置が認識可能な形式で備えた請求項１ないし６のいずれかに記載のカラーチャート。
【請求項８】
前記テスト撮影によって生成される画像データが、前記画像データ生成装置と該画像データ生成装置以外の他の装置との間のプロファイル作成に利用される請求項１ないし７のいずれかに記載のカラーチャート。
【請求項９】
請求項１ないし８のいずれかに記載のカラーチャートを撮影可能に構成され、該カラーチャートを予め規定された調整パラメータに基づいてホワイトバランスを取りながら撮影することにより該カラーチャートの画像データを生成する画像データ生成装置。
【請求項１０】
前記カラーチャートの画像データを、前記ホワイトバランスを取りながら、前記カラーチャートの周辺環境に応じた露光量を自動的に決定して撮影することにより生成する請求項９に記載の画像データ生成装置。
【請求項１１】
前記生成された画像データを読み取り可能に記憶する記憶手段を備えた請求項９または１０に記載の画像データ生成装置。
【請求項１２】
請求項１ないし８のいずれかに記載のカラーチャートを撮影することにより生成されたカラーチャートの画像データを補正するチャート画像データ補正装置であって、
前記複数の各カラーパッチの色を表現したデータである基準データを保持する基準データ保持部と、
該基準データ保持部を参照して、前記生成された画像データを前記基準データと対比し、該画像データの色情報の補正値を決定する補正値決定部と
を備えたチャート画像データ補正装置。
【請求項１３】
前記補正値決定部により決定された補正値と前記カラーチャートの画像データを生成した画像データ生成装置に依存した色空間とを関連付けた情報である補正基礎情報を保持する補正基礎情報保持部を備えた請求項１２に記載のチャート画像データ補正装置。
【請求項１４】
前記補正値決定部により決定された補正値に基づいて前記画像データを生成した画像データ生成装置と該画像データ生成装置以外の他の装置との間のプロファイルを作成するプロファイル作成部を備えた請求項１２に記載のチャート画像データ補正装置。
【請求項１５】
前記プロファイル作成部により作成されたプロファイルと前記カラーチャートの画像データを生成した画像データ生成装置の種類とを関連付けた情報であるプロファイル情報を保持するプロファイル情報保持部を備えた請求項１４に記載のチャート画像データ補正装置。
【請求項１６】
請求項１４に記載のチャート画像データ補正装置により作成された前記プロファイルに基づいて、所定の対象物について生成された生成画像データの色情報を補正する色補正装置であって、
異なる複数の種類の画像データ生成装置ごとに用意された前記プロファイルのうち、前記生成画像データを生成した画像データ生成装置に対応する前記プロファイルを用いて、前記生成画像データの色情報を補正する、色補正装置。
【請求項１７】
所定の対象物をホワイトバランスを取りながら撮影することにより前記対象物の画像データを生成する画像データ生成装置と該画像データ生成装置以外の他の装置との間のプロファイルを作成する方法であって、
前記画像データ生成装置によって複数の色のカラーパッチが各色を積分すると無彩色になるように所定の領域内に配列されたカラーチャートを撮影することにより、該カラーチャートの画像データを生成し、
該生成されたカラーチャートの画像データに基づいて、該カラーチャートの画像データを生成した画像データ生成装置と該画像データ生成装置以外の他の装置との間のプロファイルを作成する
プロファイル作成方法。
【請求項１８】
複数の色のカラーパッチが所定の領域内に配列されたカラーチャートをホワイトバランスを取りながら撮影することにより生成された前記カラーチャートの画像データに基づき、該画像データを生成した画像データ生成装置と該画像データ生成装置以外の他の装置との間のプロファイルを作成するためのコンピュータプログラムを記録した記録媒体であって、
前記複数のカラーパッチが各色を積分すると無彩色になるように配列された前記カラーチャートの撮影により該カラーチャートの画像データを生成する工程と、
該生成されたカラーチャートの画像データに基づいて前記プロファイルを作成する工程と
をコンピュータに実行させるためのプログラムをコンピュータに読み取り可能に記録した記録媒体。
【発明の詳細な説明】
【０００１】
【発明の属する技術分野】
本発明は、ディジタルカメラ等の画像データ生成装置によって撮影されるカラーチャートとこれを用いた装置等に関する。
【０００２】
【従来の技術】
近年、被写体の撮影によりデジタル画像データを生成する装置（例えば、ディジタルスチルカメラ、ディジタルビデオカメラ等）の需要は、撮影や画像加工を業とする専門家のみならず、専門的知識を有しない一般人にまで広がっている。
【０００３】
従来、専門家の間では、上記の画像データ生成装置で被写体を撮影するにあたり、画像データ生成装置の色再現特性を把握するために、複数の色のカラーパッチが縦横に配列されたカラーチャートを撮影することがしばしば行なわれていた。具体的には、撮影により取得されたカラーチャート画像（例えば、フォトペーパーに印刷されたカラーチャート画像）とカラーチャート現物とを比較して各カラーパッチの色差を目視で確認すると共に、この色差に対応する色補正処理を被写体の撮影画像に施し、被写体の画像の色を現実の被写体の色に近づけていた。なお、以下の説明において、カラーチャートの実体と該カラーチャートの撮影により取得されたカラーチャート画像との間に生じる色差や、被写体の実体と該被写体の撮影により取得された被写体画像との間に生じる色差のことを、「実体−画像間色差ΔＥ」という。
【０００４】
こうした色補正処理の従来例を図２３のＣａｓｅ１に示す。図２３のＣａｓｅ１は、カラーパッチを有するカラーチャートＪＶを太陽光の下でディジタルスチルカメラＪ１０により撮影した場合における画像データについての色補正処理の様子を示している。この図２３では、カラーチャートＪＶの各画像データ（チャートデータＪＶＤ１，ＪＶＤ２，ＪＶＤａｗ１，ＪＶＤａｗ２，ＪＶＤｗ１，ＪＶＤｗ２）に関し、各画像データがディジタルスチルカメラＪ１０の色空間において具現化された場合の画像イメージを表わしている。
【０００５】
このＣａｓｅ１では、ディジタルスチルカメラＪ１０側のホワイトバランスを「オート」に設定した状態（この状態を、図２３では「ＡＷＢ」と表わす）で撮影している。この「オート」という設定は、撮影場所の光を検知したディジタルスチルカメラＪ１０が、検知結果に基づいて撮影光源の色温度を自動的に決定し、決定された色温度に合わせてホワイトバランスの調整を行なう設定である。
【０００６】
Ｃａｓｅ１において、カラーチャートＪＶと該カラーチャートＪＶの撮影により生成されたチャートデータＪＶＤ１との間の実体−画像間色差ΔＥは値Ｊｃｇ１となっている。このチャートデータＪＶＤ１を受け取ったコンピュータＪ９０は、チャートデータＪＶＤ１について色補正処理を行ない、色補正処理後のデータをチャートデータＪＶＤ２としてプリンタＪ４０に出力する。この色補正処理において、チャートデータＪＶＤ１からチャートデータＪＶＤ２への補正値Ｊｒｅ１は、プリンタＪ４０の色再現特性やディジタルスチルカメラＪ１０とプリンタＪ４０との色空間の相違を考慮し、プリンタＪ４０によって印刷されたときの色がカラーチャートＪＶに近似した色になるように決定される。このような色補正処理が行なわれたチャートデータＪＶＤ２をプリンタＪ４０が受け取ることで、プリンタＪ４０においてカラーチャートＪＶに近似した色のチャート画像ＪＥを印刷することが可能となる。
【０００７】
【発明が解決しようとする課題】
しかしながら、上記した従来の手法では、カラーチャートと同じ色の被写体をカラーチャートの撮影時光源とは異なる光源下で撮影した場合に、たとえホワイトバランスを取って撮影しても被写体の実体と画像との間にカラーチャートの場合とは異なる実体−画像間色差ΔＥが生じてしまい、カラーチャートの撮影に基づいて作り出された色補正処理の基準（図２３における補正値Ｊｒｅ１）を被写体画像についての色補正の基準として利用することができなかった。このような難点につき、以下、図２３を参照しつつ具体的に説明する。
【０００８】
図２３のＣａｓｅ２は、Ｃａｓｅ１と同じカラーパッチを有するカラーチャートＪＶを被写体とし、この被写体を蛍光灯の下でディジタルスチルカメラＪ１０により撮影した場合を示す。このＣａｓｅ２では、ディジタルスチルカメラＪ１０側のホワイトバランスを「オート」に設定した状態で撮影している。この設定状態でカラーチャートを撮影することにより、カラーチャートＪＶの画像データであるチャートデータＪＶＤａｗ１が生成される。このチャートデータＪＶＤａｗ１は、図２３に示すように、Ｃａｓｅ１のチャートデータＪＶＤ１と色味が異なっており、カラーチャートＪＶとチャートデータＪＶＤａｗ１との間の実体−画像間色差ΔＥは、Ｃａｓｅ１の場合と異なる値である値Ｊｃｇ２となる。従って、チャートデータＪＶＤａｗ１にＣａｓｅ１において規定された補正値Ｊｒｅ１を適用して色補正処理を行なっても、図２３に示すように、色補正処理後のチャートデータＪＶＤａｗ２がＣａｓｅ１の場合のチャートデータＪＶＤ２とは異なる色情報を有するデータとなってしまうため、プリンタＪ４０においてＣａｓｅ１におけるチャート画像ＪＥと同じ色合いの画像を印刷することはできなかった。
【０００９】
こうした撮影光源の違いによる実体−画像間色差ΔＥの相違は、図２３のＣａｓｅ３に示したような、ディジタルスチルカメラＪ１０側のホワイトバランスを「蛍光灯固定」に設定した状態（この状態を、図２３では「ＫＷＢ−ｋ」と表わす）で撮影した場合にも生じる。このＣａｓｅ３では、Ｃａｓｅ２と同じ対象物をＣａｓｅ２と同じ蛍光灯の下で撮影している。この「蛍光灯固定」という設定は、予め定められた蛍光灯の平均的な色温度に合わせてホワイトバランスの調整を行なう設定である。こうした「蛍光灯固定」に設定された状態での撮影によって生成されたチャートデータＪＶＤｗ１は、図２３に示すように、Ｃａｓｅ２のチャートデータＪＶＤａｗ１の場合と比べればチャートデータＪＶＤ１に近い色味であるものの、やはりＣａｓｅ１のチャートデータＪＶＤ１とは色味が異なっており、カラーチャートＪＶとチャートデータＪＶＤｗ１との間の実体−画像間色差ΔＥは、Ｃａｓｅ１の場合と異なる値である値Ｊｃｇ３となる。従って、チャートデータＪＶＤｗ１にＣａｓｅ１において規定された補正値Ｊｒｅ１を適用して色補正処理を行なっても、Ｃａｓｅ２の場合と同様の理由で、プリンタＪ４０においてＣａｓｅ１におけるチャート画像ＪＥと同じ色合いの画像を印刷することはできなかった（図２３を参照）。
【００１０】
このようにＣａｓｅ２，３の場合にＣａｓｅ１の場合とは異なる実体−画像間色差ΔＥが生じてしまう要因の一つとして、ディジタルスチルカメラＪ１０によって撮影しようとする対象物（以下、撮影対象物という）の全体の色がディジタルスチルカメラＪ１０側でのホワイトバランスの調整度合いに影響していることが考えられる。また、他の要因として、Ｃａｓｅ１とＣａｓｅ２，３とが異なる露出状態で撮影されたということが考えられる。例えば、Ｃａｓｅ１において露出が過不足の状態でカラーチャートが撮影され、Ｃａｓｅ２，３において露出が適正な状態でカラーチャートが撮影された場合には、チャートデータＪＶＤａｗ１，ＪＶＤｗ１はチャートデータＪＶＤ１とは異なる明るさとなり、こうした明るさの違いによりＣａｓｅ１の場合とＣａｓｅ２，３の場合との間で実体−画像間色差ΔＥに相違が生じてしまう。
【００１１】
こうした光源や露出等の撮影環境の違いによるカラーチャートの実体−画像間色差ΔＥの相違は、特に、カラーチャートの撮影により生成された画像データを基準として画像データ生成装置と他の装置との間のプロファイルを作成し、このプロファイルを利用して色補正処理を実現するような場合に、プロファイルの活用範囲を非常に狭めてしまう。撮影環境の違いによるカラーチャートの実体−画像間色差ΔＥの相違を前提として作成されたプロファイルは、結局、カラーチャートの撮影環境と全く同じ環境下で撮影された被写体の色の他の装置における再現にしか用いることができないからである。
【００１２】
本発明は、上記の課題を解決し、専門的知識を有していない者が種々の撮影環境下で撮影しても同様の色情報を有する画像データが生成されるカラーチャートを提供し、こうしたカラーチャートの撮影により生成された画像データに基づいて効率の良い色補正処理を実現することを目的として、以下の構成を採った。
【００１３】
【課題を解決するための手段およびその作用・効果】
本発明のカラーチャートは、
所定の対象物を予め規定された調整パラメータに基づいてホワイトバランスを取りながら撮影することにより前記対象物の画像データを生成する画像データ生成装置によってテスト撮影され、該テスト撮影により生成される画像データが該テスト撮影以外の他の撮影により生成された画像データの色補正処理に利用されるカラーチャートであって、
所定の領域内に配列された複数の色のカラーパッチを備え、
前記カラーパッチが、各色を積分すると無彩色になるように配列された
ことを要旨とする。
【００１４】
本発明のカラーチャートでは、複数の色のカラーパッチが、各色を積分すると無彩色になるように配列される。このため、画像データ生成装置によるカラーチャートのテスト撮影によって画像データを生成する際に、カラーチャートを構成するカラーパッチの色合いが画像データ生成装置側の予め規定された調整パラメータに基づくホワイトバランス調整に影響を及ぼすことが少なく、ホワイトバランスを取りやすくなる。従って、カラーチャートを撮影する光源の種類の相違に拘らず、同様の色合いの画像データを生成させることが可能となり、生成された画像データに基づく色補正処理を効率良く実現することができる。例えば、蛍光灯下でカラーチャートをテスト撮影した場合において、カラーチャートの色に因る色かぶり（緑かぶり）の発生が防止されるので、太陽光下での撮影と同様の撮影結果を得ることができる。従って、テスト撮影後に蛍光灯下で対象物を撮影した場合に、色かぶりを除去するような色補正処理を行なう必要がない。
【００１５】
上記の発明において、画像データ生成装置を、ホワイトバランスを取ると共に、対象物の周辺環境に応じた露光量を自動的に決定して該対象物を撮影することにより該対象物の画像データを生成する装置とし、カラーパッチの各色を積分した結果である無彩色を、Ｌ*ａ*ｂ*表色系において明度を表わすＬ*の値が５０近傍の色とすることも望ましい。こうすれば、画像データ生成装置によるカラーチャートのテスト撮影によって画像データを生成する際に、カラーチャート全体の明るさが画像データ生成装置側で自動的に決定される露光量に影響を及ぼすことが少なく、グレーバランスを取りやすくなる。従って、露光量を自動的に決定するモードや設定状態で簡易にカラーチャートを撮影した場合であっても、露出の過不足のない適正な明るさの画像データを確実に生成させることが可能となる。例えば、画像データＥ３を生成する際に、撮影対象物であるカラーチャート全体の明るさに応じた露出補正を加える必要がない。
【００１６】
Ｌ*ａ*ｂ*表色系において明度を表わすＬ*の値が５０近傍のカラーパッチをチャート中央部に備えることも好適である。画像データ生成装置では、一般に、中央部重点測光（撮影有効領域の中央部分を重点的に測定すること）により露光量を自動的に決定する。こうした画像データ生成装置により上記のカラーチャート全体が撮影有効領域内に納まるようにカラーチャートをテスト撮影すれば、画像データ生成装置側において、チャート中央部のＬ*の値が５０近傍のカラーパッチを基準としてより正確にグレーバランスを取ることが可能となり、チャート中央部よりも外側のカラーパッチの色がグレーバランスに影響することがない。従って、より適正な露出の画像データを簡単かつ確実に生成することができる。
【００１７】
複数の色のカラーパッチが配列される所定の領域を略四角形の領域とすると共に、該略四角形の領域を、画像データ生成装置の撮影有効領域とほぼ同じ縦横の構成比率で形成してもよい。こうすれば、全てのカラーパッチを確実に撮影することが可能となり、カラーチャートのテスト撮影の失敗を有効に防止することができる。
【００１８】
所定の領域の周囲に、Ｌ*ａ*ｂ*表色系において明度を表わすＬ*の値が５０近傍の無彩色の領域を備えることも好適である。こうすれば、画像データ生成装置によってカラーチャートをテスト撮影する際に、所定の領域の周囲にカラーパッチ以外の対象物が写り込み、写り込んだ対象物の色によってホワイトバランスの調整度合や露光量に悪影響を与えてしまうということがない。
【００１９】
複数のカラーパッチが、ｓＲＧＢ色空間の領域外の色のカラーパッチを含むことも望ましい。こうすれば、ｓＲＧＢ色空間の領域外の色（例えば、彩度の高い色）についても色かぶりや露出の過不足のない画像データを生成可能となり、広い色域を正確にカバーした色補正処理を行なうことができる。
【００２０】
所定の領域の天地左右を識別する情報を、前記色補正処理を行なう装置が認識可能な形式で備えてもよい。こうすれば、色補正処理を行なう際に、カラーチャートの画像データから各カラーパッチの位置情報を正確に特定することが可能となり、画像データに基づく色の認識を容易かつ確実なものにすることができる。
【００２１】
上記のカラーチャートを、テスト撮影によって生成される画像データが画像データ生成装置と該画像データ生成装置以外の他の装置との間のプロファイル作成に利用されるカラーチャートとすることも望ましい。例えば、請求項１の発明の構成を備える場合には、色かぶりの少ない画像データを基準として他の装置との間のプロファイルを作成可能となり、プロファイルの精度を向上することができる。請求項２の発明の構成を備える場合には、露出の過不足のない画像データを基準として他の装置との間のプロファイルを作成可能となり、プロファイルの精度をより一層向上することができる。例えば、ｓＲＧＢ色空間の領域外の色のカラーパッチを含むカラーチャートがテスト撮影された場合には、彩度の高い色についても色かぶりや露出の過不足のない画像データを生成可能となり、この画像データに基づいて色域が広く且つ高精度のプロファイルを作成することができる。また、所定の領域の天地左右を識別する情報を色補正処理を行なう装置が認識可能な形式で備えたカラーチャートがテスト撮影された場合には、カラーチャートの画像データから各カラーパッチの位置情報を特定して、正確なプロファイルを作成することができる。
【００２２】
本発明を、上記のカラーチャートを撮影可能に構成された装置であって、該カラーチャートを予め規定された調整パラメータに基づいてホワイトバランスを取りながら撮影することにより該カラーチャートの画像データを生成する画像データ生成装置として把握することもできる。本発明の画像データ生成装置では、複数の色のカラーパッチが各色を積分すると無彩色になるように配列されたカラーチャートの撮影によりホワイトバランスを調整して画像データを生成する。このため、ホワイトバランスを調整する際、カラーチャートを構成するカラーパッチの色合いが予め規定された調整パラメータに基づくホワイトバランス調整に影響を及ぼすことが少なくなり、ホワイトバランスを取りやすくなる。従って、カラーチャートについて、撮影光源色による色かぶりが少ない画像データを得ることが可能となり、撮影光源の種類の相違に拘らず、同様の色合いの画像データを生成することができる。例えば、使用者が撮影する場所の光源（以下、撮影場所光源という）を特定せず、オートホワイトバランスでカラーチャートを撮影した場合であっても、色かぶりの少ない画像データを生成することができる。
【００２３】
上記発明において、カラーチャートの画像データを、ホワイトバランスを取りながら、カラーチャートの周辺環境に応じた露光量を自動的に決定して撮影することにより生成する構成を採ることも好適である。このような画像データ生成装置では、複数の色のカラーパッチが各色を積分するとＬ*ａ*ｂ*表色系において明度を表わすＬ*の値が５０近傍の無彩色になるように配列されたカラーチャートの撮影により、ホワイトバランスを調整すると共に、撮影されるカラーチャートの周辺環境に応じた露光量を自動的に決定して画像データを生成する。従って、露光量を自動的に決定する際、カラーチャート全体の明るさが自動的に決定される露光量に影響を及ぼすことが少なくなり、グレーバランスを取りやすくなる。従って、露光量を自動的に決定するモードや設定状態で簡易にカラーチャートを撮影した場合であっても、露出の過不足のない適正な明るさの画像データを確実に生成することができる。例えば、生成された画像データに対して、撮影対象物であるカラーチャート全体の明るさに応じた露出補正を加える必要がない。
【００２４】
生成された画像データを読み取り可能に記憶する記憶手段を備えることも、カラーチャートについての色かぶりが少なく適正な露出状態の画像データを事後的に読み出して利用可能となる点で好ましい。例えば、読み取られた画像データを基準として画像データ生成装置と他の装置との間のプロファイルを作成すれば、精度の高いプロファイルを作成することができる。
【００２５】
本発明を、上記のカラーチャートを撮影することにより生成されたカラーチャートの画像データを補正するチャート画像データ補正装置として把握することも可能である。こうした本発明のチャート画像データ補正装置は、複数の各カラーパッチの色を表現したデータである基準データを保持する基準データ保持部と、該基準データ保持部を参照して、生成された画像データを基準データと対比し、該画像データの色情報の補正値を決定する補正値決定部とを備える。このようなチャート画像データ補正装置によれば、補正値決定部が、画像データ生成装置により撮影光源の種類の相違に拘らず同様の色合いで生成されたカラーチャートの画像データを基準データと対比して該画像データの色情報の補正値を決定する。従って、一の画像データ生成装置に関し、画像データの色情報の補正値を一通りに定めることが可能となり、補正値の決定処理を簡略化することができる。例えば、一の画像データ生成装置により生成されたカラーチャートの画像データの色情報の補正値を、太陽光下での撮影の場合と蛍光灯下での撮影の場合とで異なった値に決定するというような煩雑な処理を行なう必要がない。
【００２６】
上記発明のチャート画像データ補正装置において、補正値決定部により決定された補正値とカラーチャートの画像データを生成した画像データ生成装置の種類とを関連付けた情報である補正基礎情報を保持する補正基礎情報保持部を備えることも、後に補正基礎情報を利用可能となる点で好適である。
【００２７】
上記発明のチャート画像データ補正装置において、補正値決定部により決定された補正値に基づいて前記画像データを生成した画像データ生成装置と該画像データ生成装置以外の他の装置との間のプロファイルを作成するプロファイル作成部を備えることも好適である。こうすれば、画像データ生成装置における撮影時の光源の種類の相違に拘らず一通りに定められた補正値に基づいてプロファイルが作成される。従って、活用範囲が広く且つ精度の高いプロファイルを作成することができる。例えば、作成されたプロファイルが、カラーチャートが特定の光源（例えば、蛍光灯）下で撮影された場合しか役に立たないということがなく、カラーチャートが多様な光源下で撮影された場合であっても、画像データ生成装置によって撮影された対象物の色を他の装置において忠実に再現可能なプロファイルを提供することができる。
【００２８】
上記発明のチャート画像データ補正装置において、プロファイル作成部により作成されたプロファイルとカラーチャートの画像データを生成した画像データ生成装置の種類とを関連付けた情報であるプロファイル情報を保持するプロファイル情報保持部を備えることも、後にプロファイル情報を利用可能となる点で好適である。
【００２９】
本発明を、上記のチャート画像データ補正装置から補正基礎情報またはプロファイル情報を受け取り、該補正基礎情報または該プロファイル情報に基づいて、所定の対象物の撮影により生成された画像データの色情報を補正する色補正装置として把握することも可能である。こうした本発明の色補正装置は、所定の対象物の撮影により生成された画像データを受け取るデータ受取手段と、該データ受取手段が受け取った画像データを生成した画像データ生成装置の種類を判別する種類判別手段と、該種類判別手段により判別された画像データ生成装置の種類に対応する補正値またはプロファイルを、補正基礎情報またはプロファイル情報を参照して読み出す読出手段と、該読出手段により読み出された補正値またはプロファイルに基づいて、前記データ受取手段が受け取った画像データの色情報を補正する色情報補正手段とを備える。
【００３０】
このような色補正装置によれば、所定の対象物の撮影により生成された画像データを受け取り、受け取った画像データを生成した画像データ生成装置の種類を判別し、該判別された画像データ生成装置の種類に対応する補正値またはプロファイルを、チャート画像データ補正装置から受け取った補正基礎情報またはプロファイル情報を参照して読み出す。読み出された補正値またはプロファイルは、チャート画像データ補正装置によってカラーチャートの撮影光源の相違に拘らず一通りに定められている。色情報補正手段は、こうした一通りの補正値またはプロファイルに基づいて受け取った画像データの色情報を補正する。従って、所定の対象物の撮影により生成された画像データの色補正処理を簡略化することができる。例えば、所定の対象物が太陽光下で撮影された場合と蛍光灯下で撮影された場合とで、生成された画像データの色情報を補正する程度や適用するプロファイルを異ならせるというような煩雑な処理を行なう必要がない。
【００３１】
本発明のプロファイル作成方法は、
所定の対象物をホワイトバランスを取りながら撮影することにより前記対象物の画像データを生成する画像データ生成装置と該画像データ生成装置以外の他の装置との間のプロファイルを作成する方法であって、
前記画像データ生成装置によって複数の色のカラーパッチが各色を積分すると無彩色になるように所定の領域内に配列されたカラーチャートを撮影することにより、該カラーチャートの画像データを生成し、
該生成されたカラーチャートの画像データに基づいて、該カラーチャートの画像データを生成した画像データ生成装置と該画像データ生成装置以外の他の装置との間のプロファイルを作成する
ことを要旨とする。
【００３２】
本発明のプロファイル作成方法によれば、所定の対象物をホワイトバランスを取りながら撮影することにより対象物の画像データを生成する画像データ生成装置によって、複数の色のカラーパッチが各色を積分すると無彩色になるように所定の領域内に配列されたカラーチャートを撮影することにより、該カラーチャートの画像データを生成し、該生成されたカラーチャートの画像データに基づいて、該カラーチャートの画像データを生成した画像データ生成装置と該画像データ生成装置以外の他の装置との間のプロファイルを作成する。カラーチャートについて、撮影光源色による色かぶりが少ない画像データを得ることが可能となり、撮影光源の種類の相違に拘らず、同様の色合いの画像データを生成することができる。従って、精度が高く且つ活用範囲の広いプロファイルを作成することができる。
【００３３】
本発明のコンピュータプログラムを記録した記録媒体は、
複数の色のカラーパッチが所定の領域内に配列されたカラーチャートをホワイトバランスを取りながら撮影することにより生成された前記カラーチャートの画像データに基づき、該画像データを生成した画像データ生成装置と該画像データ生成装置以外の他の装置との間のプロファイルを作成するためのコンピュータプログラムを記録した記録媒体であって、
前記複数のカラーパッチが各色を積分すると無彩色になるように配列された前記カラーチャートの撮影により該カラーチャートの画像データを生成する工程と、
該生成されたカラーチャートの画像データに基づいて前記プロファイルを作成する工程と
をコンピュータに実行させるためのプログラムをコンピュータに読み取り可能に記録したことを要旨とする。
【００３４】
本発明のコンピュータプログラムを記録した記録媒体によれば、複数のカラーパッチが各色を積分すると無彩色になるように配列されたカラーチャートの撮影により該カラーチャートの画像データを生成し、この画像データに基づき、該画像データを生成した画像データ生成装置と該画像データ生成装置以外の他の装置との間のプロファイルを作成する。従って、精度が高く且つ活用範囲の広いプロファイルを作成することができる。
【００３５】
【発明の実施の形態】
以上説明した本発明の構成および作用を一層明らかにするために、以下本発明の実施の形態を、以下の順序で説明する。
Ａ．実施例（画像データ変換システムＭＡ）
Ａ−１．実施例の要点
Ａ−２．画像データ変換システムＭＡの全体構成
Ａ−３．ホワイトバランスないし露出の調整機構
Ａ−４．カラーチャートの構造
Ａ−５．カラーチャートの撮影環境の相違と作成されるプロファイルとの関係Ｂ．変形例
【００３６】
Ａ．実施例
Ａ−１．実施例の要点
図１は本発明の実施例である画像データ変換システムＭＡにおける特徴的な構成を示す説明図である。画像データ変換システムＭＡは、一の色空間によって表現された画像データを一の色空間とは異なる色空間によって表現された画像データに変換するシステム撮影される被写体の色を忠実に印刷媒体上に再現可能なシステムである。このシステムは、図１に示すように、被写体の撮影に伴って画像データを生成する画像データ生成装置、該画像データ生成装置による複数の色のカラーパッチを有するカラーチャートＥＰの撮影によって基準画像データＥ３が生成された場合に、該基準画像データＥ３を補正するチャート画像データ補正装置、該チャート画像データ補正装置による補正結果を利用して、画像データ生成装置による対象物Ｈの撮影に伴って生成された画像データＨ１を補正する色補正装置によって実現される。
【００３７】
図１に示すように、画像データ生成装置は、ｓＲＧＢ色空間を基準として画像データを生成するのに対し、色補正装置は、受け取った画像データをｓＲＧＢ色空間よりも広い色再現領域を有するｗＲＧＢ色空間によって表現された画像データに補正する。チャート画像データ補正装置は、このような画像データ生成装置と色補正装置との間の基準色空間の相違や画像データ生成装置ないし色補正装置の色再現特性を考慮して、各カラーパッチの実物色と同様の色が色補正装置において再現できるように基準画像データＥ３の補正値を決定し、決定された補正値から画像データ生成装置と色補正装置との間のプロファイルを作成する。ここで、プロファイルとは、デバイスに依存する一の色空間で表現された色をデバイスに依存する他の色空間で再現する手法を記述したファイルを意味する。このプロファイルの詳細については後述する。
【００３８】
なお、本実施例では、図１に示すように、画像データ生成装置をディジタルスチルカメラ１０によって構成し、チャート画像データ補正装置および色補正装置をカラー印刷可能なプリンタ４０によって構成している。
【００３９】
図１に示すように、画像データ変換システムＭＡにおいて行われる処理は、プロファイル作成モジュールＭＡ１，プロファイル作成モジュールＭＡ１の終了後に行なわれる画像印刷モジュールＭＡ２という二つのモジュールから構成されている。プロファイル作成モジュールＭＡ１では、用紙Ｐ上に印刷されたカラーチャートＥＰの撮影により、画像データ生成装置が有する色空間であるｓＲＧＢ色空間によって表現されたｓＲＧＢ基準画像データＥ３を生成し、このｓＲＧＢ基準画像データＥ３に基づいて画像データ生成装置と色補正装置との間のプロファイルを作成する処理が行なわれる。また、画像印刷モジュールＭＡ２では、上記作成されたプロファイルを利用して、対象物Ｈの撮影に伴って生成されたｓＲＧＢ画像データＨ１を色補正装置が有する色空間であるｗＲＧＢ色空間によって表現されたｗＲＧＢ画像データＨ４に変換し、このｗＲＧＢ画像データＨ４に基づいて対象物Ｈの画像を印刷する処理が行なわれる。
【００４０】
ｓＲＧＢ基準画像データＥ３は、図１に示すように、カラーチャートＥＰの撮影に伴って画像データ生成装置内に格納されたチャート画像データ生成プログラムが実行されることにより生成される。このチャート画像データ生成プログラムには、カラーチャートＥＰを含む被写体が撮影される環境（以下、撮影環境という）を把握し、該撮影環境に基づいてｓＲＧＢ基準画像データＥ３を生成するプログラムが記述されている。こうした被写体の撮影環境として、本実施例では、被写体を照射する光源の種類（例えば、蛍光灯，太陽光等）や被写体から反射される光量等を考慮している。例えば、図１に示すように、カラーチャートＥＰを含む被写体が蛍光灯下で撮影された場合には、蛍光灯の色温度に合うようにホワイトバランスを自動的に調整すると共に、蛍光灯下の被写体から反射される光量を自動的に計測して撮影に必要な露光量を決定する。カラーチャートＥＰを含む被写体が太陽光下で撮影された場合には、太陽光の色温度に合うようにホワイトバランスを自動的に調整すると共に、太陽光下の被写体から反射される光量を自動的に計測して撮影に必要な露光量を決定する。これにより、ホワイトバランスおよび露光量が自動的に調整されたｓＲＧＢ基準画像データＥ３が生成される。
【００４１】
後述するように、プロファイル作成モジュールＭＡ１では、画像データ生成装置により、特徴的なカラーパッチ構造を有するカラーチャートＥＰが撮影される。これにより、画像データ生成装置におけるホワイトバランスおよび露光量の自動的な調整がより適正に行なわれる。この結果、撮影環境の相違に拘らずほぼ同じ色情報を有するｓＲＧＢ基準画像データＥ３が生成される。例えば、図１に示すように、カラーチャートＥＰが蛍光灯下，太陽光下のいずれの環境下で撮影された場合であっても、ほぼ均一な色合い情報や明るさ情報を有するｓＲＧＢ基準画像データＥ３が生成される。
【００４２】
こうしたｓＲＧＢ基準画像データＥ３に基づいて、チャート画像データ補正装置においてプロファイル作成プログラムが実行され、プロファイルが作成される。作成されたプロファイルが色補正装置によって参照されることにより、ｓＲＧＢ画像データＨ１の色空間が変換されてｗＲＧＢ画像データＨ４が生成される。
【００４３】
このように、本実施例の画像データ変換システムＭＡは、撮影環境の相違に拘らずほぼ均一な色情報を有するｓＲＧＢ基準画像データＥ３に基づいて精度の高いプロファイルを作成し、以後、このプロファイルを利用して画像データについての色空間の変換を行なうことで、対象物Ｈが多様な撮影環境下で撮影された場合であっても対象物Ｈの色の忠実な再現を可能とすることを特徴とするものである。
【００４４】
Ａ−２．画像データ変換システムＭＡの全体構成
次に、本実施例の画像データ変換システムＭＡの全体構成について図２ないし図１２を参照しつつ説明する。図２は本発明の実施例である画像データ変換システムＭＡの概要を示す説明図である。図２に示すように、画像データ変換システムＭＡは、画像データ生成装置としてのディジタルスチルカメラ１０とチャート画像データ補正装置ないし色補正装置としてのプリンタ４０を備える。
【００４５】
ディジタルスチルカメラ１０は、対象物を撮影することにより画像を取得し、取得した画像をデジタル形式の画像データとしてメモリカードＭＣに保存する機能を有し、この機能を実行するためにＣＰＵ，ＲＯＭ，ＲＡＭ等により構成された制御機構２０を備える。
【００４６】
図２に示すように、ディジタルスチルカメラ１０は、ｓＲＧＢ色空間，ＹＣｂＣｒ色空間というディジタルスチルカメラ１０特性に依存する二つの色空間を基準としている。ＹＣｂＣｒ色空間は、ｓＲＧＢ色空間よりも広い色再現領域を有する。
【００４７】
ディジタルスチルカメラ１０の制御機構２０は、被写体の撮影によりｓＲＧＢ色空間によって表現された画像データを生成し、生成された画像データをＹＣｂＣｒ色空間によって表現された画像データに変換した後にＪＰＥＧ圧縮を行ない、圧縮後のＹＣｂＣｒ画像データをメモリカードＭＣに記録する。なお、メモリカードＭＣへの画像データの保存形式としては、上記ＪＰＥＧ形式のほか、ＴＩＦＦ形式、ＧＩＦ形式、ＢＭＰ形式等の保存形式を用いることができる。
【００４８】
プリンタ４０は、他のデジタル装置から画像データを受け取り、受け取った画像データをプリンタが有する色空間で表現された画像データに変換し、変換後の画像データに基づいて画像を出力する機能を有しており、より具体的には、紙や布，ＣＤ−Ｒ等の記録メディア，ＯＨＰシート等の印刷媒体上に画像を印刷する機能を有する。こうした機能を実行するために、プリンタ４０は、ＣＰＵ，ＲＯＭ，ＲＡＭ等により構成された制御機構５０を備える。
【００４９】
図２に示すように、プリンタ４０は、ｗＲＧＢ色空間，ＣＭＹＫ色空間（図示せず）というプリンタ４０特性に依存する二つの色空間を基準としている。ｗＲＧＢ色空間は、ｓＲＧＢ色空間よりも広い色再現領域を有する。
【００５０】
プリンタ４０がｗＲＧＢ色空間以外の色空間によって表現された画像データを受け取った場合には、制御機構５０は、この画像データをｗＲＧＢ色空間によって表現された画像データに変換し、変換後の画像データを色分解してＣＭＹＫ色空間によって表現された画像データに変換する。制御機構５０は、このＣＭＹＫ画像データに基づいてＣ（シアン），Ｍ（マゼンタ），Ｙ（イエロー）Ｋ（ブラック）の４色のインクの吐出態様を決定し、決定された吐出態様に基づいた印刷の実行を指示する。
【００５１】
なお、図２に示す画像データ変換システムＭＡでは、ディジタルスチルカメラ１０とプリンタ４０とはケーブル等の接続手段により相互に接続されていない。ディジタルスチルカメラ１０からプリンタ４０への画像データの受け渡しは、ディジタルスチルカメラ１０のメモリカードスロットル１１から引き抜かれたメモリカードＭＣをプリンタ４０のメモリカードドライブ４１に差し込むことにより実現される。即ち、メモリカードドライブ４１に接続されたプリンタ４０の制御機構５０は、メモリカードＭＣに記録されたＹＣｂＣｒ画像データを読み取り、読み取った画像データをｗＲＧＢ色空間によって表現された画像データに変換するのである。
【００５２】
既述したように、画像データ変換システムＭＡは、プロファイル作成モジュールＭＡ１，画像印刷モジュールＭＡ２という二つのモジュールから構成されている。これらの各モジュールＭＡ１，ＭＡ２において行なわれる一連の処理のうち、プリンタ４０側における処理は、プリンタ４０の制御機構５０内に設けられた記憶部５１，指令部５３，色空間変換部６８，Ｌ−ｗ演算部５５，色分解部５６，出力部５８，データ受取部６０，関係決定部６４，表色値特定部６５，色変換表作成部６６および色変換表記憶部６７という各機能部によって実行される（図２を参照）。また、ディジタルスチルカメラ１０側における処理は、ディジタルスチルカメラ１０の制御機構２０内に設けられたデータ生成部２２，色変換部２４および圧縮部２６という各機能部によって実行される（図２を参照）。
【００５３】
本実施例では、プロファイル作成モジュールＭＡ１において、ディジタルスチルカメラ１０とプリンタ４０という二つのデバイス間で用いられるプロファイルとして、ディジタルスチルカメラ１０によりＹＣｂＣｒ色空間で表現された色をプリンタ４０が有するｗＲＧＢ色空間で再現する手法が記述されたプロファイルＹＷを作成することとしている。このプロファイル作成モジュールＭＡ１において上記の各機能部が行なう処理につき、図２および図３を中心としつつ、図４ないし図１０を適宜参照しながら具体的に説明する。
【００５４】
図２では、プロファイル作成モジュールＭＡ１において各機能部が実行する処理の流れを黒色の細い矢印で示している。また、図３では、プロファイル作成モジュールＭＡ１において制御機構５０ないし制御機構２０が全体として行なう処理の流れをプロファイル作成処理ルーチンとしてフローチャートを用いて示している。以下の説明においては、図２を中心として各機能部が実行する処理の内容を説明するとともに、図３にも記載されている処理内容については説明文中に図３に相当するステップ名を付記するものとする。
【００５５】
図２に示すように、記憶部５１には、複数の色のカラーパッチを有するカラーチャートＥＰを特定するための情報である基準画像データＥ０が予め記憶されている。この基準画像データＥ０は、機器非依存色の色空間であるＬ*ａ*ｂ*色空間によって表現されている。記憶部５１の基準テーブルＢＴ（図２においては図示せず）には、後述するように、各カラーパッチの色をＬ*ａ*ｂ*色空間によって表現したときの色彩値（以下、基準色彩値という）の情報が基準色彩値情報ＬＱ（図２においては図示せず）として予め記憶されている（図５を参照）。
【００５６】
使用者による所定の操作によりカラーチャートＥＰの出力指示を受けた指令部５３は、カラーチャートＥＰの出力データを形成する指令を色空間変換部６８に送る。指令を受けた色空間変換部６８は、まず、記憶部５１からＬ*ａ*ｂ*色空間によって表現された基準画像データＥ０を読み出し（ステップＳ２００、ステップＳ２１０）、この基準画像データＥ０をｗＲＧＢ色空間によって表現されたｗＲＧＢ基準画像データＥ１に変換する（ステップＳ２２０）。
【００５７】
基準画像データＥ０からｗＲＧＢ基準画像データＥ１への変換は、色空間変換部６８内のＬ−ｗ演算部５５により、以下の要領で行われる。
【００５８】
色変換表記憶部６７には、プロファイルＹＷの一内容として、以下の式２のようなＬ*ａ*ｂ*色空間からｗＲＧＢ色空間への変換式が予め記憶されている。
［式２］
Ｆｙ＝（Ｌ*＋１６）／１１６
Ｆｙ≧０．２０４５６のとき、Ｙ＝Ｙ0・Ｆｙ3
Ｆｙ＜０．２０４５６のとき、Ｙ＝（Ｙ0／７．７８７）・（Ｌ*−１６／１１６）
Ｆｘ＝（Ｆｙ＋ａ*／５００）
Ｆｘ≧０．２０４５６のとき、Ｘ＝Ｘ0・Ｆｘ3
Ｆｘ＜０．２０４５６のとき、Ｘ＝（Ｘ0／７．７８７）・（Ｆｙ＋ａ*／５００−１６／１１６）
Ｆｚ＝（Ｆｙ−ｂ*／２００）
Ｆｚ≧０．２０４５６のとき、Ｚ＝Ｚ0・Ｆｘ3
Ｆｚ＜０．２０４５６のとき、Ｚ＝（Ｚ0／７．７８７）・（Ｆｙ−ｂ*／２００−１６／１１６）
ただし、Ｘ0，Ｙ0，Ｚ0は、白色点での三刺激値
（Ｒ／２５５）γ＝ｍ１１・Ｘ＋ｍ１２・Ｙ＋ｍ１３・Ｚ
（Ｇ／２５５）γ＝ｍ２１・Ｘ＋ｍ２２・Ｙ＋ｍ２３・Ｚ
（Ｂ／２５５）γ＝ｍ３１・Ｘ＋ｍ３２・Ｙ＋ｍ３３・Ｚ
ただし、ｍ１１〜ｍ３３は、ＸＹＺ→ＲＧＢ色空間変換マトリクス
【００５９】
カラーチャートＥＰの出力データを形成する旨の指令を色空間変換部６８から受け取ったＬ−ｗ演算部５５は、色変換表記憶部６７を参照して上記の式２を読み出し、各カラーパッチについての基準色彩値（Ｌ*，ａ*，ｂ*）を上記の式２に代入して演算結果を算出する。こうした演算により、カラーチャートＥＰ上の各色のカラーパッチについて、基準色彩値（Ｌ*，ａ*，ｂ*）の値に対応するｗＲＧＢ表色値（ｗＲ，ｗＧ，ｗＢ）の値が求まり、基準画像データＥ０をｗＲＧＢ基準画像データＥ１に変換することができる。
【００６０】
なお、基準画像データＥ０からｗＲＧＢ基準画像データＥ１への変換をＬ−ｗ演算部５５による演算を行なうことなく実現することも可能である。具体的には、ｗＲＧＢ色空間によって表現されたｗＲＧＢ基準画像データＥ１を予め記憶部５１に記憶しておき、指令部５３からの指令を受けたときに色空間変換部６８が記憶部５１を参照してｗＲＧＢ基準画像データＥ１を読み出す構成等を考えることができる。
【００６１】
色空間変換部６８は、演算によって求められたｗＲＧＢ基準画像データＥ１の表色値を各基準色彩値との対応関係をとりながら記憶部５１の基準テーブルＢＴに一時的に記憶する（図５を参照）とともに、ｗＲＧＢ基準画像データＥ１を色分解部５６に送る。色分解部５６は、受け取ったｗＲＧＢ基準画像データＥ１を色分解してＣＭＹＫ色空間によって表現されたＣＭＹＫ基準画像データＥ２に変換し（ステップＳ２３０）、このＣＭＹＫ基準画像データＥ２を出力部５８が出力する。これにより、カラーチャートＥＰが印刷された状態の用紙Ｐがプリンタ４０の外部に排出される（ステップＳ２４０）。
【００６２】
カラーチャートＥＰが印刷された状態の用紙Ｐを図４に示す。図４に示すように、カラーチャートＥＰは、複数の色のカラーパッチが配列された領域であるパッチデータ領域ＶＳを備える。パッチデータ領域ＶＳは横長の四角形の輪郭を有しており、この四角形の領域内には、互いに異なる色を有する２４０個（縦１２個×横２０個）のカラーパッチが配列されている。なお、２４０個（縦１２個×横２０個）のカラーパッチのうちのいくつかは同じ色であっても差し支えない。
【００６３】
カラーチャートＥＰは、パッチデータ領域ＶＳよりも外側の周囲に、２４０個のカラーパッチの背景領域であるバックグラウンドデータ領域ＢＳを備える。バックグラウンドデータ領域ＢＳの周囲には、用紙Ｐの色である白色の余白領域が形成されている。こうしたパッチデータ領域ＶＳおよびバックグラウンドデータ領域ＢＳの構造については、後述する「Ａ−４．カラーチャートの構造」において更に詳しく説明する。なお、上記のバックグラウンドデータ領域ＢＳを設けない構成とすることも可能である。
【００６４】
パッチデータ領域ＶＳにおけるカラーパッチの配列は、各カラーパッチの画素ごとの色彩値の情報をカラーチャートＥＰの走査方向順に並べることにより特定することができる。こうした配列の特定に関し、第１実施例では、図４に示すように、カラーパッチの配列に関する情報（以下、配列情報ＦＬという）をカラーチャートＥＰ内の行位置および桁位置の組み合わせによって定義している。即ち、カラーチャートＥＰには、第ａ行〜第ｌ行（計１２行）の各行に２０桁分のカラーパッチが配置されるものとし、１行目の１桁目に位置するカラーパッチの配列情報ＦＬを「ａ１」と表わし、１２行目の２０桁目に位置するカラーパッチの配列情報ＦＬを「ｌ２０」と表わしている。
【００６５】
カラーチャートＥＰは、バックグラウンドデータ領域ＢＳ内に、カラーチャートＥＰの天地左右を識別するための識別データＺＤとして、四つの識別マークＺ１〜Ｚ４を備える。各識別マークＺ１〜Ｚ４は、それぞれ、四角形のパッチデータ領域ＶＳが有する四つの各コーナー部の近傍に配置されている。即ち、図４に黒色で塗りつぶされた三角形で示すように、配列情報ＦＬが「ａ１」，「ａ２０」のカラーパッチの近傍には、それぞれ黒色の識別マークＺ１，黒色の識別マークＺ２が配置されている。このうち識別マークＺ１は、図４に示すように、１−１輪郭軌跡線よりも上側（図４に示すＹ方向側）かつ３−３輪郭軌跡線よりも左側（図４に示す−Ｘ方向側）の領域に配置されている。また、識別マークＺ２は、１−１輪郭軌跡線よりも上側（図４に示すＹ方向側）かつ４−４輪郭軌跡線よりも右側（図４に示すＸ方向側）の領域に配置されている。
【００６６】
また、図４に白色で塗りつぶされた三角形で示すように、配列情報ＦＬが「ｌ１」，「ｌ２０」のカラーパッチの近傍には、それぞれ赤色の識別マークＺ３，赤色の識別マークＺ４が配置されている。このうち識別マークＺ３は、図４に示すように、２−２輪郭軌跡線よりも下側（図４に示す−Ｙ方向側）かつ４−４輪郭軌跡線よりも右側（図４に示すＸ方向側）の領域に配置されている。また、識別マークＺ４は、２−２輪郭軌跡線よりも下側（図４に示す−Ｙ方向側）かつ３−３輪郭軌跡線よりも左側（図４に示す−Ｘ方向側）の領域に配置されている。これら４個の識別マークＺ１〜Ｚ４は、後述するようにプリンタ４０の制御機構５０によって判読されることによりカラーチャートＥＰの天地左右を識別する情報（以下、識別情報ＳＢという）として機能する。
【００６７】
なお、上記した各カラーパッチの配列情報ＦＬは、各カラーパッチの色をＬ*ａ*ｂ*色空間によって表現した基準色彩値情報ＬＱとともに、基準画像データＥ０として記憶部５１の基準テーブルＢＴに予め記憶されている。基準画像データＥ０が記憶された状態の基準テーブルＢＴを図５に示す。図５に示すように、基準テーブルＢＴには、「ａ１」〜「ｌ２０」までの配列情報ＦＬと、各配列情報ＦＬに対応する基準色彩値情報ＬＱが記憶されている。
【００６８】
基準色彩値情報ＬＱはＬ*ａ*ｂ*色空間によって表現された色彩値の形式で表わされる。例えば、図５に示すように、配列情報ＦＬが「ａ１」のカラーパッチには、（Ｌ*，ａ*，ｂ*）＝（ｍ０，ｎ０，ｏ０）という基準色彩値情報ＬＱが付与されている。この基準色彩値情報ＬＱは、Ｌ*（明度），ａ*（赤⇔緑方向の色度），ｂ*（黄⇔青方向の色度）の各値がそれぞれｍ０，ｎ０，ｏ０であるという内容を表わしている。なお、基準テーブルＢＴにおいては、Ｌ*，ａ*，ｂ*の値を「ｍ＋数字」，「ｎ＋数字」，「ｏ＋数字」という形式で表わしているが、「ｍ」の後の数字は０（ゼロ）から１００までの値を採り得る。また、「ｎ」や「ｏ」の後の数字は、可視領域に属する色の色度の数に対応した値を採ることができる。
【００６９】
また、図５に示す基準テーブルＢＴには、基準色彩値情報ＬＱの内容に対応するｗＲＧＢ表色値情報ＷＱが記憶されている。このｗＲＧＢ表色値情報ＷＱは、Ｌ*ａ*ｂ*色空間によって表現された基準色彩値をプリンタ４０の色空間であるｗＲＧＢ色空間によって表現したときの表色値の情報である。例えば、図５に示すように、配列情報ＦＬが「ａ１」のカラーパッチには、基準色彩値（ｍ０，ｎ０，ｏ０）に対応するｗＲＧＢ表色値の情報として、（ｗＲ，ｗＧ，ｗＢ）＝（ｐ０，ｑ０，ｒ０）というｗＲＧＢ表色値情報ＷＱが付与されている。このｗＲＧＢ表色値情報ＷＱは、ｗＲ（ｗＲＧＢ色空間における赤），ｗＧ（ｗＲＧＢ色空間における緑），ｗＢ（ｗＲＧＢ色空間における青）の各値がそれぞれｐ０，ｑ０，ｒ０であるという内容を表わしている。なお、基準テーブルＢＴにおいては、ｗＲ，ｗＧ，ｗＢの値を「ｐ＋数字」，「ｑ＋数字」，「ｒ＋数字」という形式で表わしているが、「ｐ」，「ｑ」，「ｒ」の後の数字は、Ｒ，Ｇ，Ｂの各色の一般的な階調数（各色２５６階調）に対応して、０（ゼロ）から２５５までの値を採り得る。こうしたｗＲＧＢ表色値情報ＷＱである（ｗＲ，ｗＧ，ｗＢ）の値は、前述したｗＲＧＢ基準画像データＥ１の変換処理（図３のステップＳ２２０）において、Ｌ−ｗ演算部５５の演算結果を受け取った色空間変換部６８により記録される。
【００７０】
図２および図３に戻って説明する。こうした用紙Ｐ上のカラーチャートＥＰが所定の撮影指示に基づいてディジタルスチルカメラ１０によって撮影されると、データ生成部２２は、カラーチャートＥＰの光の情報をＣＣＤ上に結像させることによりカラーチャートＥＰの画像を取得し（ステップＳ３００、ステップＳ３１０）、取得した画像についてＣＣＤによる光電変換およびＡ／ＤコンバータによるＡ／Ｄ変換を行なうことによりｓＲＧＢ色空間によって表現されたｓＲＧＢ基準画像データＥ３を生成する（ステップＳ３２０）。データ生成部２２は、このｓＲＧＢ基準画像データＥ３を色変換部２４に送る。色変換部２４は、受け取ったｓＲＧＢ基準画像データＥ３をＹＣｂＣｒ色空間によって表現されたＹＣｂＣｒ基準画像データＥ４に変換し（ステップＳ３３０）、このＹＣｂＣｒ基準画像データＥ４を圧縮部２６に送る。圧縮部２６は、データ量を削減するために、受け取ったＹＣｂＣｒ基準画像データＥ４のＣｂ成分およびＣｒ成分を間引いて、ＹＣｂＣｒ基準画像データＥ４をＹＣｂＣｒ基準画像データＥ５に圧縮する（ステップＳ３４０）。こうして圧縮されたＹＣｂＣｒ基準画像データＥ５はメモリカードＭＣに記録される（ステップＳ３５０）。なお、ＹＣｂＣｒ基準画像データＥ４のデータ量が少ない場合には、上記の圧縮を行なうことなく、ＹＣｂＣｒ基準画像データＥ４をそのままメモリカードＭＣに記録することとしても差し支えない。
【００７１】
この後、ＹＣｂＣｒ基準画像データＥ５を記録したメモリカードＭＣがプリンタ４０のメモリカードドライブ４１に差し込まれ、プリンタ４０に対してプロファイルＹＷを作成する旨の所定の指示がなされると、データ受取部６０はメモリカードＭＣの記録内容を読み出してＹＣｂＣｒ基準画像データＥ５を受け取り（ステップＳ２５０、ステップＳ２６０）、このＹＣｂＣｒ基準画像データＥ５を関係決定部６４に送る。
【００７２】
関係決定部６４は、ＹＣｂＣｒ基準画像データＥ５を表色値特定部６５に送る。表色値特定部６５は、ＹＣｂＣｒ基準画像データＥ５の表色値を特定し、特定された表色値の情報を関係決定部６４に渡す。関係決定部６４は、受け取ったＹＣｂＣｒ基準画像データＥ５の表色値とＬ*ａ*ｂ*色空間によって表現された基準画像データＥ０の基準色彩値との対応関係を決定し（ステップＳ２７０）、決定した対応関係に基づいて、ＹＣｂＣｒ基準画像データＥ５の表色値を基準色彩値と対応付けながら記憶部５１に一時的に記憶し、記憶した旨を色変換表作成部６６に送る。
【００７３】
図６は、図３のステップＳ２７０における対応関係決定処理の詳細を対応関係決定処理ルーチンとして示すフローチャートである。本ルーチンは、メモリカードＭＣ内のＹＣｂＣｒ基準画像データＥ５を関係決定部６４が受け取ったときに起動する。本ルーチンが起動されると、まず、ＹＣｂＣｒ基準画像データＥ５をイメージデータとしてバッファに展開し（ステップＳ６００）、このイメージデータ上に四つの識別マークＺ１〜Ｚ４が存在するか否かを判断する処理を行なう（ステップＳ６１０）。四つの識別マークＺ１〜Ｚ４が全て存在しないと判断した場合には、カラーチャートＥＰが全範囲に亘って撮影されていないとみなし、この旨を表示ランプの点滅等により警告する処理（ステップＳ６９０）を行ない、図３のステップＳ２５０の処理に戻る。
【００７４】
四つの識別マークＺ１〜Ｚ４が全て存在すると判断した場合には、各識別マークＺ１〜Ｚ４のＹＣｂＣｒ色空間における表色値を読み取る処理を行なう（ステップＳ６２０）。上記の表色値の読み取り処理は、ＪＰＥＧ形式の画像データの解析プログラムを予めＲＯＭ等に格納しておくことにより実現することができる。
【００７５】
次に、読み取られた各識別マークＺ１〜Ｚ４の色彩値の違いに基づいてＹＣｂＣｒ基準画像データＥ５の天地左右を決定する処理を行なう（ステップＳ６３０）。具体的には、二つの黒色の識別マークＺ１，Ｚ２の位置する方向がカラーチャートＥＰの上方向に相当し、二つの赤色の識別マークＺ３，Ｚ４の位置する方向がカラーチャートＥＰの下方向に相当する旨を決定する。
【００７６】
こうしてＹＣｂＣｒ基準画像データＥ５の天地左右を決定した後、ＹＣｂＣｒ基準画像データＥ５中のカラーパッチに相当するデータについてＹＣｂＣｒ色空間における表色値を読み取る処理を行なう（ステップＳ６４０）。この読み取り処理は、イメージデータの上から順に、左から右に向かって行なわれる。図５に示したカラーチャートＥＰで言えば、配列情報ＦＬが「ａ１」，「ａ２」，…，「ａ２０」，「ｂ１」，…，「ｂ２０」，…，「ｌ１」，…，「ｌ２０」の順に、ＹＣｂＣｒ表色値が読み取られる。
【００７７】
次に、ＹＣｂＣｒ表色値を読み取り順に記憶部５１の対応テーブルＣＴに書き込む処理を行なう（ステップＳ６５０）。ＹＣｂＣｒ基準画像データＥ５のＹＣｂＣｒ表色値が書き込まれた状態の対応テーブルＣＴを図７に示す。図７に示すように、対応テーブルＣＴには、カラーチャートＥＰの配列情報ＦＬ，ＹＣｂＣｒ表色値情報ＹＱ，基準色彩値情報ＬＱという３つの項目が設けられている。配列情報ＦＬの項目に属する各欄にはカラーチャートＥＰの配列情報ＦＬに対応する「ａ１」から「ｌ２０」までの記号が予め記入されている。また、基準色彩値情報ＬＱの項目に属する各欄には配列情報ＦＬの内容に応じた基準色彩値の値が予め記入されている。読み取られたＹＣｂＣｒ表色値は、ＹＣｂＣｒ表色値情報ＹＱという項目に属する各欄に項目ａ１から順に書き込まれる。
【００７８】
ＹＣｂＣｒ色空間における表色値は、Ｙ（輝度），Ｃｂ（彩度），Ｃｒ（彩度）という三つの成分の値の組み合わせによって特定される。例えば、図７に示すように、配列情報ＦＬ「ａ１」に対応するＹＣｂＣｒ表色値情報ＹＱの欄には、（Ｙ，Ｃｂ，Ｃｒ）＝（ｓ０，ｔ１０，ｕ２０）というＹＣｂＣｒ表色値が書き込まれており、このＹＣｂＣｒ表色値は、Ｙ（輝度），Ｃｂ（彩度），Ｃｒ（彩度）の各値がそれぞれｓ０，ｔ１０，ｕ２０であるという内容を表わしている。なお、対応テーブルＣＴにおいては、Ｙ，Ｃｂ，Ｃｒの値を「ｓ＋数字」，「ｔ＋数字」，「ｕ＋数字」という形式で表わしているが、「ｓ」や「ｔ」，「ｕ」の後の数字はＹＣｂＣｒ色空間内の任意の値を採り得る。
【００７９】
ＹＣｂＣｒ基準画像データＥ５についてＹＣｂＣｒ表色値の書き込みが完了することにより、対応テーブルＣＴは、図７に示すようなＹＣｂＣｒ表色値と基準色彩値との対応関係が記述された一覧表となる。全てのカラーパッチに相当するデータについてＹＣｂＣｒ表色値の書き込みが完了したと判断した場合には、書き込みが完了した旨を色変換表作成部６６に送り（ステップＳ６６０，ステップＳ６７０）、本ルーチンを終了する。
【００８０】
以上説明した対応関係決定処理が制御機構５０の各機能部によって行なわれる様子をブロック図として図８に示した。対応関係決定処理が終了したときには、図８に示すように、記憶部５１に基準テーブルＢＴおよび対応テーブルＣＴという二つのテーブルが作成済みとなる。この基準テーブルＢＴと対応テーブルＣＴの記憶内容を併せることにより、両テーブルＢＴ，ＣＴに共通のＬ*ａ*ｂ*色彩値を介して、各カラーパッチのｗＲＧＢ表色値とＹＣｂＣｒ表色値との対応関係を取ることができる。例えば、配列情報ＦＬが「ａ１」の（ｍ０，ｎ０，ｏ０）という基準色彩値を有するカラーパッチは、プリンタ４０により印刷される際に（ｐ０，ｑ０，ｒ０）というｗＲＧＢ表色値となり（図５を参照）、このｗＲＧＢ表色値に基づいて印刷された用紙Ｐがディジタルスチルカメラ１０に撮影されることにより（ｓ０，ｔ１０，ｕ２０）というＹＣｂＣｒ表色値となる（図７を参照）。従って、ディジタルスチルカメラ１０による被写体の撮影により、（ｓ０，ｔ１０，ｕ２０）というＹＣｂＣｒ表色値を有する画像データが生成された場合には、この画像データを（ｐ０，ｑ０，ｒ０）というｗＲＧＢ表色値に変換してプリンタ４０で印刷すれば、ディジタルスチルカメラ１０が撮影時に取得した色と同様の色で撮影画像を印刷することができる。
【００８１】
一方、カラーチャートＥＰ上の２４０色以外の色を有する被写体がディジタルスチルカメラ１０により撮影された場合には、上記対応テーブルＣＴにはないＹＣｂＣｒ表色値を有する画像データが生成される。本実施例では、このような画像データについてもディジタルスチルカメラ１０が撮影時に取得した色と同様の色で撮影画像を印刷することを可能とすべく、上記の対応関係決定処理に続いて、以下に説明する回帰演算処理（図３のステップＳ２８０）を行なう。
【００８２】
図２ないし図３に示すように、ＹＣｂＣｒ基準画像データＥ５の表色値を記憶した旨を受け取った色変換表作成部６６は、まず、記憶部５１に記憶されたＹＣｂＣｒ基準画像データＥ５の表色値と基準色彩値の対応関係に基づいて後述する回帰演算処理を行なう（ステップＳ２８０）。続いて、回帰演算処理による演算結果を利用してＹＣｂＣｒ色空間からｗＲＧＢ色空間への色変換表であるプロファイルＹＷを作成して、このプロファイルＹＷを色変換表記憶部６７に記憶する処理を行ない（ステップＳ２９０）、プロファイル作成処理ルーチン（図３）を終了する。なお、本実施例では、プロファイルＹＷをＹＣｂＣｒ表色値からｗＲＧＢ表色値への変換式の形式で作成し、この変換式を色変換表記憶部６７に記憶している。
【００８３】
図９は、図３のステップＳ２８０における回帰演算処理の詳細を回帰演算処理ルーチンとして示すフローチャートである。本ルーチンは、対応関係決定処理の終了後に起動する。本ルーチンが起動されると、まず、対応テーブルＣＴを参照し、先頭の配列情報ＦＬを解析対象として設定する処理を行なう（ステップＳ７００）。次に、解析対象として設定された配列情報ＦＬについて対応テーブルＣＴに記録されている基準色彩値情報ＬＱおよびＹＣｂＣｒ表色値情報ＹＱを読み出す処理を行なう（ステップＳ７１０）。以上の処理により、図７に示した例で言えば、配列情報ＦＬ「ａ１」が解析対象として設定され、配列情報ＦＬ「ａ１」に属する（ｍ０，ｎ０，ｏ０）というＬ*ａ*ｂ*色彩値および（ｓ０，ｔ１０，ｕ２０）というＹＣｂＣｒ表色値が読み出される。
【００８４】
次に、読み出した基準色彩値情報ＬＱおよびＹＣｂＣｒ表色値情報ＹＱを、以下三つの基礎演算式ＪＭに代入し（ステップＳ７２０）、代入後の各基礎演算式ＪＭを演算バッファに記憶する処理を行なう（ステップＳ７３０）。
＜基礎演算式ＪＭ＞
Ｌ*＝（α1，α2，…α20）Ａ
ａ*＝（β1，β2，…β20）Ａ
ｂ*＝（γ1，γ2，…γ20）Ａ
なお、上記の基礎演算式ＪＭにおいて、Ａは、（１，Ｙ，Ｃｂ，Ｃｒ，Ｙ2，Ｃｂ2，Ｃｒ2，Ｙ＊Ｃｂ，Ｙ＊Ｃｒ，Ｃｂ＊Ｃｒ，Ｙ3，Ｃｂ3，Ｃｒ3，Ｙ2＊Ｃｂ，Ｙ2＊Ｃｒ，Ｙ＊Ｃｂ2，Ｙ＊Ｃｒ2，Ｃｂ2＊Ｃｒ，Ｃｂ＊Ｃｒ2，Ｙ＊Ｃｂ＊Ｃｒ）tであり、α1，α2，…α20、β1，β2，…β20、γ1，γ2，…γ20は未知の定数である。上記の基礎演算式ＪＭは、色変換表作成部６６内の記憶領域に予め記憶されている。
【００８５】
次に、次の配列情報ＦＬが存在するか否かを判断する処理を行ない（ステップＳ７４０）、次の配列情報ＦＬが存在すると判断した場合には、次の配列情報ＦＬを解析対象として設定し（ステップＳ７５０）、ステップＳ７１０に戻って上記の処理を繰り返す。以上の処理により、図７に示した例で言えば、「ａ１」から「ｌ２０」までの各配列情報ＦＬごとのＬ*ａ*ｂ*色彩値およびＹＣｂＣｒ表色値を代入した基礎演算式ＪＭが、順次に演算バッファに記憶される。
【００８６】
ステップＳ７４０において、次の配列情報ＦＬが存在しないと判断した場合には、全ての配列情報ＦＬについて基準色彩値情報ＬＱおよびＹＣｂＣｒ表色値情報ＹＱの基礎演算式ＪＭへの代入処理が終了したとみなし、演算バッファに記憶された全ての式を読み出して回帰演算を行なう（ステップＳ７６０）。具体的には、代入後の各式について最小二乗法の原理を適用することにより、回帰係数である６０個の未知の定数（α1，α2，…α20、β1，β2，…β20、γ1，γ2，…γ20）の値を求める。
【００８７】
次に、求められた回帰係数を上記の基礎演算式ＪＭに代入する処理を行なった後（ステップＳ７７０）、回帰係数を代入した後の基礎演算式ＪＭを式１として色変換表記憶部６７に記憶する処理を行ない（ステップＳ７８０）、本ルーチンを終了する。回帰係数が代入された式１は、ＹＣｂＣｒ表色値とＬ*ａ*ｂ*色彩値との間の変換式となる。従って、この変換式に任意のＹＣｂＣｒ表色値（Ｙ，Ｃｂ，Ｃｒ）を代入することにより、代入されたＹＣｂＣｒ表色値に対応するＬ*ａ*ｂ*色彩値（Ｌ*，ａ*，ｂ*）を求めることが可能となる。
【００８８】
以上説明した回帰演算処理が制御機構５０の各機能部によって行なわれる様子をブロック図として図１０に示した。図１０に示すように、回帰演算処理が終了したときには、色変換表記憶部６７に、ＹＣｂＣｒ表色値からＬ*ａ*ｂ*色彩値への変換式である式１およびＬ*ａ*ｂ*色空間からｗＲＧＢ色空間への変換式である式２の二つの式が記憶された状態となる。回帰演算処理の後に行なわれるプロファイルの作成ないし記憶処理（図３のステップＳ２９０）では、上記二つの式を合わせて「ＹＣｂＣｒ表色値→Ｌ*ａ*ｂ*色彩値→ｗＲＧＢ色空間への変換式」とし、これをディジタルスチルカメラ１０用のプロファイルＹＷとして色変換表記憶部６７に保持する処理を行なう（図１０を参照）。
【００８９】
以上、プロファイル作成モジュールＭＡ１において行なわれる処理の内容について説明した。次に、プロファイル作成モジュールＭＡ１の終了後に行なわれる画像印刷モジュールＭＡ２について説明する。画像印刷モジュールＭＡ２で行なわれる一連の処理のうち、ディジタルスチルカメラ１０側における処理は、ディジタルスチルカメラ１０の制御機構２０内に設けられたデータ生成部２２，色変換部２４および圧縮部２６という各機能部によって実行される（図２を参照）。また、プリンタ４０側における処理は、図２に示したプリンタ４０の制御機構５０内に設けられたデータ受取部６０，表色値特定部６５，色空間変換部６８，色変換表記憶部６７，Ｙ−ｗ演算部６９，色分解部５６および出力部５８という各機能部によって実行される（図２を参照）。
【００９０】
画像印刷モジュールＭＡ２プロファイルにおいて上記の各機能部が行なう処理につき、図２および図１１を中心としつつ、図１２を適宜参照しながら具体的に説明する。図２では、画像印刷モジュールＭＡ２において各機能部が実行する処理の流れを黒色の太い矢印で示している。また、図１１では、画像印刷モジュールＭＡ２において制御機構２０ないし制御機構５０が全体として行なう処理の流れを画像忠実印刷処理ルーチンとしてフローチャートを用いて示している。以下の説明においては、図２を中心として各機能部が実行する処理の内容を説明するとともに、図１１にも記載されている処理内容については説明文中に図１１に相当するステップ名を付記するものとする。
【００９１】
プロファイルＹＷが作成されたディジタルスチルカメラ１０により被写体としての対象物Ｈが撮影されると、図２に示すように、データ生成部２２は、対象物Ｈの光の情報をＣＣＤ上に結像させることにより対象物Ｈの画像を取得し（ステップＳ４００、ステップＳ４１０）、取得した画像についてＣＣＤによる光電変換、Ａ／ＤコンバータによるＡ／Ｄ変換を行なうことによりｓＲＧＢ色空間によって表現されたｓＲＧＢ画像データＨ１を生成する（ステップＳ４２０）。データ生成部２２は、このｓＲＧＢ画像データＨ１を色変換部２４に送る。色変換部２４は、受け取ったｓＲＧＢ画像データＨ１をＹＣｂＣｒ色空間によって表現されたＹＣｂＣｒ画像データＨ２に変換し（ステップＳ４３０）、このＹＣｂＣｒ画像データＨ２を圧縮部２６に送る。圧縮部２６は、受け取ったＹＣｂＣｒ画像データＨ２のＣｂ成分およびＣｒ成分を間引くことによりデータ量を削減する。これにより、ＹＣｂＣｒ画像データＨ２は圧縮されてＹＣｂＣｒ画像データＨ３となる（ステップＳ４４０）。特許請求の範囲にいう第一画像データは、第１実施例ではＹＣｂＣｒ画像データＨ３に相当する。こうして圧縮されたＹＣｂＣｒ画像データＨ３はメモリカードＭＣに記録される（ステップＳ４５０）。
【００９２】
ＹＣｂＣｒ画像データＨ３を記録したメモリカードＭＣがプリンタ４０のメモリカードドライブ４１に差し込まれ、プリンタ４０に対して印刷を実行する旨の所定の指示がなされると、データ受取部６０はメモリカードＭＣの記録内容を読み出してＹＣｂＣｒ画像データＨ３を受け取り（ステップＳ５００、ステップＳ５１０）、このＹＣｂＣｒ画像データＨ３を表色値特定部６５に送る。表色値特定部６５は、受け取ったＹＣｂＣｒ画像データＨ３のＹＣｂＣｒ色空間における表色値を特定した後（ステップＳ５２０）、ＹＣｂＣｒ画像データＨ３を色空間変換部６８に送る。
【００９３】
色空間変換部６８は、色変換表記憶部６７に記憶されたプロファイルＹＷを参照し、ＹＣｂＣｒ画像データＨ３の表色値に対応するｗＲＧＢ色空間の表色値を求める（ステップＳ５３０）。このＹＣｂＣｒ表色値に対応するｗＲＧＢ表色値を求める処理は、色空間変換部６８内のＹ−ｗ演算部６９が、プロファイルＹＷとしてのＹＣｂＣｒ表色値からｗＲＧＢ表色値への変換式に画像データＨ３のＹＣｂＣｒ表色値を代入して演算することにより実現される。色空間変換部６８は、Ｙ−ｗ演算部６９の演算結果に基づいてＹＣｂＣｒ画像データＨ３をｗＲＧＢ画像データＨ４に変換し（ステップＳ５４０）、ｗＲＧＢ画像データＨ４を色分解部５６に送る。
【００９４】
プロファイルＹＷに基づくＹＣｂＣｒ色空間からｗＲＧＢ色空間への変換処理（図４のステップＳ５３０，Ｓ５４０の処理）が制御機構５０の各機能部によって行なわれる様子をブロック図として図１２に示した。図１２に示すように、色空間変換部６８内のＹ−ｗ演算部６９は、▲１▼表色値特定部６５からＹＣｂＣｒ画像データＨ３のＹＣｂＣｒ表色値を受け取ると、▲２▼色変換表記憶部６７からプロファイルＹＷ（式１および式２）を読み出し、▲３▼受け取ったＹＣｂＣｒ表色値を式１に代入して演算を行なうことによりＹＣｂＣｒ表色値に対応するＬ*ａ*ｂ*色彩値を求めた後、このＬ*ａ*ｂ*色彩値を式２に代入して演算を行なうことによりＬ*ａ*ｂ*色彩値に対応するｗＲＧＢ表色値を求める。▲４▼色空間変換部６８は、こうして求められたｗＲＧＢ表色値に基づいてＹＣｂＣｒ画像データＨ３をｗＲＧＢ画像データＨ４に変換し、ｗＲＧＢ画像データＨ４を色分解部５６に送る。従って、ＹＣｂＣｒ色空間によって表現された画像データＨ３を迅速かつ正確にｗＲＧＢ色空間に置き換えることができる。
【００９５】
図２および図１１に戻って説明する。変換後のｗＲＧＢ画像データＨ４を受け取った色分解部５６は、ｗＲＧＢ画像データＨ４を色分解してＣＭＹＫ色空間によって表現されたＣＭＹＫ画像データＨ５に変換し（ステップＳ５４０）、このＣＭＹＫ画像データＨ５を出力部５８が出力する（ステップＳ５５０）。これにより、対象物Ｈの画像が印刷された状態の用紙Ｐがプリンタ４０の外部に排出される（ステップＳ５６０）。
【００９６】
上記の画像データ変換システムＭＡを適用した場合における、ディジタルスチルカメラ１０によって取得された画像の色とプリンタ４０によって印刷される色との関係を図１３に示す。図１３に示すように、ディジタルスチルカメラ１０による撮影によって生成されたＹＣｂＣｒ画像データＨ３の表色値がＹＣｂＣｒカラースペースにおける座標点ｖ１上の値（橙色寄りの赤色を表わす値）であった場合に、このＹＣｂＣｒ画像データＨ３を受け取ったプリンタ４０側でのプロファイルＹＭを用いた色空間変換により、ＹＣｂＣｒ画像データＨ３の表色値はｘｙ色度図上における座標点ｗ１上の値（橙色寄りの赤色を表わす値）に対応付けられる。従って、プリンタ４０においては、撮影時に取得された色と同様の色彩値を有するｗＲＧＢ画像データＨ４に基づいて画像の印刷が行なわれる。
【００９７】
以上説明した画像データ変換システムＭＡによれば、プリンタ４０から出力印刷されたカラーチャートＥＰをディジタルスチルカメラ１０により撮影し、撮影により生成されたＹＣｂＣｒ基準画像データＥ５をプリンタ４０に入力するだけで、ディジタルスチルカメラ１０の色空間（ＹＣｂＣｒ色空間）からプリンタ４０の色空間（ｗＲＧＢ色空間）への色変換表であるプロファイルＹＷが作成される。以降、このプロファイルＹＷを利用することで、ディジタルスチルカメラ１０により撮影される被写体（対象物Ｈ）の色をプリンタ４０により忠実かつ簡単に再現することができる。
【００９８】
Ａ−３．ホワイトバランスないし露出の調整機構
上記実施例におけるディジタルスチルカメラ１０は、ホワイトバランスないし露出を調整する調整機構を備える。こうした調整機構について、図１４および図１５を参照しつつ説明する。図１４は、ディジタルスチルカメラ１０が備えるホワイトバランスないし露光量の調整機構をブロック図として示す説明図である。図１５は、ホワイトバランスないし露出に関する条件として設定可能な項目および設定値を示す説明図である。
【００９９】
ここで、ホワイトバランスないし露出の調整機構についての具体的な説明に入る前に、ディジタルスチルカメラ１０が備える撮影モードについて説明する。ディジタルスチルカメラ１０は、「マニュアル」，「フルオート」という二つの撮影モードを備える。「マニュアル」とは、ホワイトバランスや露出等に関する設定項目についての設定値を使用者が手動で設定して撮影を行なうモードである。一方、「フルオート」とは、ホワイトバランスや露出等に関する設定項目についての設定値をディジタルスチルカメラ１０が自動的に設定して撮影を行なうモードである。こうした撮影モードの設定は、使用者が図１４に示すダイヤルスイッチ１５を操作して所望のモード（図１５に示す「マニュアル」，「フルオート」のいずれか）を選択することにより行なうことができる。設定されたモードは、後述する設定管理部２８に一時的に記憶される。
【０１００】
次に、ホワイトバランスないし露出の調整機構について具体的に説明する。図１４に示すように、ディジタルスチルカメラ１０は、露出の調整機構として、露出制御部３０，絞り管理部３１，シャッター速度管理部３２，露出補正部３３，フラッシュ実行部３４，設定管理部２８という機能部を備える。また、ホワイトバランスの調整機構として、ＷＢ制御部３５，設定管理部２８という機能部を備える。これらの各機能部は、制御機構２０の一部としてＣＰＵ，ＲＯＭ，ＲＡＭ等により構成されている。こうした各機能部の働きにより、データ生成部２２においてホワイトバランスないし露出が調整された画像データ（ｓＲＧＢ基準画像データＥ３，ｓＲＧＢ画像データＨ１）が生成される。
【０１０１】
まず、露出の調整に関して説明する。ここで、露出とは、撮影時に必要な光をＣＣＤに送り込むことをいう。撮影時にＣＣＤに送り込まれる光量のことを、以下、露光量という。露光量は、「ＥＶ（Ｅｘｐｏｓｕｒｅ  Ｖａｌｕｅ）」を単位として表わされる。
【０１０２】
図１４に示すように、レンズ１４を通ってきた光がＣＣＤの受光素子に当たると、受光素子は露光量を感知し、この露光量の大きさに応じた強さの電気信号を発生する。こうした電気信号の強弱に基づいてデータ生成部２２により画像データが生成される。これにより、画像データに明るさ情報が付与される。なお、露光量の大きさは、原則として、後述するシャッター速度値と絞り値との組み合わせによって決定される。
【０１０３】
図１４および図１５に示すように、ディジタルスチルカメラ１０は、設定可能な露出に関する項目として、シャッター速度，絞り，露出補正という設定項目を備える。これらの他にも、露出に関し、フラッシュ，測光方式という項目についての設定が可能であるが、図１４および図１５ではこれらの設定項目についての記載を省略している。
【０１０４】
シャッター速度とは、光の照射時間によって露光量を調節する機能である。このシャッター速度によって調整される値をシャッター速度値といい、秒を単位として「１／１５」，「１／３０」のように表わす。
【０１０５】
図１５に示すように、本実施例におけるディジタルスチルカメラ１０では、撮影モードが「マニュアル」に設定されている場合に、シャッター速度を「８」，「４」，「２」，「１／２」，「１／４」，「１／８」，「１／１５」，「１／３０」，「１／６０」，「１／１２５」，「１／２５０」，「１／５００」のうちのいずれかの設定値に設定することができる。こうしたシャッター速度の設定は、使用者が図１４に示すダイヤルスイッチ１５を操作して所望の設定値を選択することにより行なうことができる。
【０１０６】
一方、撮影モードが「フルオート」に設定されている場合には、シャッター速度の設定値をディジタルスチルカメラ１０の露出制御部３０が自動的に決定して設定する（図１４ないし図１５を参照）。この設定値を決定する基準については後述する。
【０１０７】
こうして設定された設定値は、設定管理部２８に一時的に記憶される。設定管理部２８は、図１４に示すように、設定された設定値をシャッター速度管理部３２に送る。シャッター速度管理部３２は、受け取った設定値に応じてＣＣＤのスイッチングのオンからオフまでの期間を変化させる。これにより、ＣＣＤに光が送り込まれる時間が調節される。なお、上記のようなソフトウェア的な手法以外の手法でシャッター速度を調節することとしても差し支えない。例えば、レンズ遮断幕である絞り板１３の開閉速度を変えることにより光がレンズ１４を透過する時間を調節する等の機械的な手法によっても、シャッター速度の調節を行なうことができる。
【０１０８】
絞りとは、レンズを透過する光の断面積を増減させることにより露光量を調節する機能である。この絞りによって調整される値を絞り値（Ｆ値）といい、「Ｆ４．０」，「Ｆ８．０」のように表わす。なお、絞り値が大きくなるとレンズを透過する光の断面積が減少する。このことを「絞る」という。一方、絞り値が小さくなるとレンズを透過する光の断面積を増加する。このことを「開ける」という。
【０１０９】
図１５に示すように、本実施例におけるディジタルスチルカメラ１０では、撮影モードが「マニュアル」に設定されている場合に、絞りを「Ｆ２．０」，「Ｆ２．３」，「Ｆ２．８」，「Ｆ４．０」，「Ｆ５．６」，「Ｆ８．０」のうちのいずれかの設定値に設定することができる。こうした絞りの設定は、シャッター速度の場合と同様に、ダイヤルスイッチ１５を操作して所望の設定値を選択することにより行なうことができる。
【０１１０】
一方、撮影モードが「フルオート」に設定されている場合には、絞りの設定値をディジタルスチルカメラ１０の露出制御部３０が自動的に決定して設定する（図１４ないし図１５を参照）。この設定値を決定する基準については後述する。
【０１１１】
こうして設定された設定値は、設定管理部２８に一時的に記憶される。設定管理部２８は、設定された設定値を絞り管理部３１に送る。絞り管理部３１は、受け取った設定値に応じて絞り板１３の口径を変化させる。これにより、レンズ１４を透過する光の断面積が調節される。
【０１１２】
撮影モードが「フルオート」に設定されている場合に、露出制御部３０がシャッター速度および絞りの設定値を自動的に決定する手法について、図１４を参照しつつ説明する。設定管理部２８から「フルオート」という設定情報を受け取った露出制御部３０は、反射光式の露出計１２に被写体から来る光の測定を命じる。
【０１１３】
露出計１２は、被写体から来る光を測定し、この計測結果に基づく演算により適正露出を求める。ここで、適正露出とは、撮影者が見たままと同じだと感じる露出のことをいう。この適正露出の演算は、「平均的な屋外の被写体の明るさや色をすべて混ぜ合わせると１８％グレー（中性灰色）になる」という仮定に基づいてなされる。
【０１１４】
露出計１２から適正露出の値を受け取った露出制御部３０は、適正露出の値を撮影時の露光量として決定するとともに、この露光量を実現するためのシャッター速度値と絞り値との最適な組み合わせを決定する。これにより、シャッター速度および絞りに関する設定値が決定される。露出制御部３０は、シャッター速度および絞りを上記決定された設定値に設定し、設定した設定値の情報を設定管理部２８に送る。
【０１１５】
なお、露出制御部３０は、撮影時の露光量を実現するためにフラッシュ１６の発光が必要と判断した場合には、その旨をフラッシュ実行部３４に指示する。フラッシュ実行部３４は、フラッシュ１６の発光（発光のタイミングや発光する光量）を制御し、撮影時にフラッシュを自動的に発光する。これにより、適正露出の実現に必要な光が撮影時に自動的に補充される。
【０１１６】
次に、露出補正の設定について説明する。露出補正とは、シャッター速度値と絞り値との組み合わせにより決定された露光量を修正することにより画像の明るさを補正する機能である。この機能は、例えば、著しく明るい被写体や著しく暗い被写体を撮影しようとする場合に適正露出を実現するために用いられる。
【０１１７】
露出補正の機能は、撮影モードが「フルオート」に設定されている場合には、特に有用である。即ち、「フルオート」の場合には、「平均的な屋外の被写体の明るさや色をすべて混ぜ合わせると１８％グレーになる」という仮定に基づいて適正露出の値が自動的に決定されるが、必ずしも被写体が１８％グレーになるとは限らない。このような場合に露出補正を行なえば、露出計１２の演算値に対して補正を加えることができるので、真の適正露出を実現することが可能となる。
【０１１８】
露出補正によって調整される値を露出補正値といい、ＥＶを単位として表わす。本実施例におけるディジタルスチルカメラ１０では、撮影モードが「オート」および「マニュアル」のいずれに設定されている場合であっても、露出補正を「−２．０ＥＶ」から「２．０ＥＶ」までの範囲の設定値に０．１ＥＶ刻みで設定することができる。この露出補正は、露出補正部３３が、既に設定されている絞りあるいはシャッタースピードの設定値を露出補正値に応じて変化させることにより実現される。
【０１１９】
次に、ホワイトバランスの調整に関して説明する。ここで、ホワイトバランスとは、種々の光源下で白い被写体が白く写るように色のバランスを調整する機能である。このようなホワイトバランスを備えたディジタルスチルカメラ１０は、被写体の撮影に伴って入力されたＲＧＢ信号を光源や被写体の色に適した出力バランスに調整する。これにより、被写体の色が忠実に再現された画像データを生成することができる。
【０１２０】
こうしたホワイトバランスの機能は、図１４に示すように、被写体の撮影に伴ってＣＣＤおよびＡ／Ｄコンバータを経てデータ生成部２２が受け取ったデジタル形式の画像データに対して、該画像データの色情報をＷＢ制御部３５が補正することにより実現される。こうした補正後の画像データが、前述したｓＲＧＢ基準画像データＥ３やｓＲＧＢ画像データＨ１となる。
【０１２１】
ＷＢ制御部３５による色情報の補正は、以下の要領で行なわれる。即ち、図１４に示すように、レンズ１４を通ってきた光は、ＣＣＤのカラーフィルタ（ＲＧＢの光の三原色を使用した原色フィルタ）を通過することによりＲ成分，Ｇ成分，Ｂ成分に分解される。これにより、Ｒ，Ｇ，Ｂの各成分からなるＲＧＢ信号が、被写体の色の情報としてＡ／Ｄコンバータに入力される。Ａ／Ｄコンバータは、デジタル値に変換したＲＧＢ信号をデータ生成部２２に送る。このデータ生成部２２が受け取ったＲＧＢ信号に対して、ＷＢ制御部３５は、ＲＧＢ信号のＲ成分，Ｇ成分，Ｂ成分のバランスを光源の種類や被写体の色に応じて調整する。
【０１２２】
ＷＢ制御部３５は、例えば、色温度の低い白熱灯の下で被写体を撮影する場合にはＲ成分のゲイン率を太陽光下における撮影時よりも低くし、一般的な蛍光灯の下で被写体を撮影する場合にはＧ成分のゲイン率を太陽光下における撮影時よりも低くする。これにより、ＲＧＢ信号のバランスを光源の種類に応じて調整している。
【０１２３】
また、被写体を撮影しようとする場合、光源の色だけでなく、光源からの光を受ける被写体そのものの色も撮影結果に影響する。このことを考慮し、ＷＢ制御部３５は、撮影により取得される画像全体の平均が無彩色となるようにＲ，Ｇ，Ｂ各成分の構成比を決定し（つまり、Ｒ：Ｇ：Ｂ＝１：１：１）、決定された構成比に基づいてＲＧＢ信号を調整する。これにより、ＲＧＢ信号のバランスを被写体の色に応じて調整している。
【０１２４】
図１５に示すように、本実施例におけるディジタルスチルカメラ１０では、撮影モードが「マニュアル」に設定されている場合に、ホワイトバランスを「オート」，「固定」，「カスタム」のうちのいずれかに設定することができる。こうしたホワイトバランスの設定は、使用者が図１４に示すダイヤルスイッチ１５を操作して所望の設定を選択することにより行なうことができる。
【０１２５】
「オート」は、撮影光源を指定せずに撮影する場合に用いる設定であり、所定範囲（本実施例では、４０００°Ｋ（ケルビン）〜７０００°Ｋ）の色温度をカバーしている。調整度合記憶部３６には、上記範囲の色温度の場合におけるホワイトバランスの調整パラメータ（例えば、Ｒ成分，Ｇ成分，Ｂ成分のバランスの調整度合い）が予め記憶されている。ＷＢ制御部３５は、調整度合記憶部３６の記憶内容を参照してＲＧＢ信号のバランスを調整し、ホワイトバランスを取る。
【０１２６】
「固定」は、撮影光源を一般的に指定して撮影する場合に用いる設定である。本実施例では、撮影光源として、「太陽光」，「蛍光灯」，「白熱灯」，「曇天」のいずれかを指定することが可能であり、「太陽光」，「蛍光灯」，「白熱灯」，「曇天」は、それぞれの光源に適した色温度をカバーしている。調整度合記憶部３６には、上記の各色温度の場合におけるホワイトバランスの調整パラメータ（例えば、Ｒ成分，Ｇ成分，Ｂ成分のバランスの調整度合い）が、それぞれに予め記憶されている。ＷＢ制御部３５は、調整度合記憶部３６の記憶内容を参照してＲＧＢ信号のバランスを調整し、ホワイトバランスを取る。
【０１２７】
「カスタム」は、個別具体的に特定された撮影光源下で撮影する場合に用いる設定であり、例えば、太陽光と蛍光灯が混在している場所で撮影する場合等に用いられる。この「カスタム」の設定では、ホワイトバランスの調整パラメータ（例えば、Ｒ成分，Ｇ成分，Ｂ成分のバランスの調整度合い）は、ディジタルスチルカメラ１０において予め規定されておらず、予め記憶されておらず、特定の光源下で白い紙等を撮影することによってはじめて決定される。決定されたパラメータは、白い紙等を撮影したときの撮影光源名と共に調整度合記憶部３６に事後的に記憶される。以後、白い紙等を撮影したときの光源と同じ光源下で被写体を撮影する場合には、ホワイトバランスを「カスタムモード」の「上記の事後的に決定されたパラメータ」に設定する。これにより、ホワイトバランスを正確に取ることができる。
【０１２８】
一方、撮影モードが「フルオート」に設定されている場合には、設定管理部２８により、ホワイトバランスの設定が自動的に「オート」に決定される（図１４ないし図１５を参照）。
【０１２９】
Ａ−４．カラーチャートの構造
次に、上記のようなホワイトバランスや露出の調整機構を備えたディジタルスチルカメラ１０に撮影されるカラーチャートＥＰに関し、各カラーパッチの色彩値に応じた配置関係について図１６を参照しつつ説明する。図１６（Ａ）に示すように、カラーチャートＥＰのパッチデータ領域ＶＳには、同程度の明度を有するカラーパッチが一の領域にまとめて配置されている。即ち、図１６（Ａ）に丸囲みの数字で示すように、カラーチャートＥＰ左下隅の領域▲１▼内には、基準色彩値のＬ*（明度）の値が「１０前後」であるカラーパッチがまとめて配置されている。同様に、領域▲１▼の右隣の領域▲２▼，領域▲２▼の右隣の領域▲３▼には、それぞれＬ*の値が「２０前後」，「３０前後」であるカラーパッチがまとめて配置されている。また、領域▲３▼，領域▲２▼，領域▲１▼の直ぐ上に位置する領域▲４▼，領域▲５▼，領域▲６▼には、それぞれＬ*の値が「４０前後」，「５０前後」，「６０前後」であるカラーパッチがまとめて配置されている。更に、領域▲６▼，領域▲５▼，領域▲４▼の直ぐ上に位置する領域▲７▼，領域▲８▼，領域▲９▼には、それぞれＬ*の値が「７０前後」，「８０前後」，「９０前後」であるカラーパッチがまとめて配置されている。このように、カラーチャートＥＰは、明度の値の大きさに応じて領域▲１▼から領域▲９▼までの９つの領域に区分されている。
【０１３０】
図１６（Ａ）に示すように、Ｌ*の値がそれぞれ「１０前後」，「３０前後」，「７０前後」，「９０前後」の領域▲１▼，領域▲３▼，領域▲７▼，領域▲９▼は、ほぼ同じ面積を有している。Ｌ*の値がそれぞれ「４０前後」，「６０前後」の領域▲４▼，領域▲６▼は、ほぼ同じ面積を有している。従って、２４０個のカラーパッチのＬ*の平均値は「約５０」となる。このように、カラーチャートＥＰでは、カラーパッチが、各色を積分すると「Ｌ*≒５０の無彩色」になるように配列されている。なお、「Ｌ*≒５０の無彩色」とは、「約１８％のグレー」を意味する。
【０１３１】
カラーチャートＥＰの中央部に位置する領域▲５▼内の中心部（図１６（Ａ）において点線ハッチングで示した部分）には、Ｌ*の値が５０である無彩色のカラーパッチが配置されている。
【０１３２】
また、カラーチャートＥＰでは、プリンタ４０の色空間であるｗＲＧＢ色空間内に属する色を広範囲に亘って抽出し、各カラーパッチの色としている。例えば、図１６（Ｂ）のｘｙ色度図において右上がりの斜線で示した範囲Ｄは、ｗＲＧＢ色空間において彩度の高い色が属する範囲を示しており、この範囲ＤにはｓＲＧＢ色空間外の色が含まれている。カラーチャートＥＰは、こうした範囲Ｄに属する色を有するカラーパッチを領域▲５▼に備える。
【０１３３】
パッチデータ領域ＶＳの縦横の構成比率（図１６に示すｍｍ／ｋｋの値）は、ディジタルスチルカメラのファインダの縦横の構成比率とほぼ同じとされている。このファインダ領域内に属する被写体がＣＣＤ上に結像される。
【０１３４】
また、図１６（Ａ）に示すように、バックグラウンドデータ領域ＢＳは、Ｌ*の値が５０近傍の無彩色とされている。
【０１３５】
Ａ−５．カラーチャートの撮影環境の相違と作成されるプロファイルとの関係プリンタ４０により印刷されたカラーチャートＥＰを異なる撮影環境の下でディジタルスチルカメラ１０により撮影した結果を図１７に示す。この図１７では、カラーチャートＥＰの各画像データであるｗＲＧＢ基準画像データＥ１，ｓＲＧＢ基準画像データＥ３（図１７において「Ｅ１」，「Ｅ３」と表示）に関し、各画像データがそれぞれの色空間において具現化された場合の画像イメージを表わしている。
【０１３６】
図１７におけるＣａｓｅ▲１▼は、撮影モードをフルオートモードに設定し、太陽光下においてカラーチャートＥＰを撮影した場合を示している。この場合には、ホワイトバランスは自動的に「オート」に設定される（このホワイトバランスの設定状態を、図１７では「ＡＷＢ」と表わす）。
【０１３７】
Ｃａｓｅ▲１▼において、カラーチャートＥＰと該カラーチャートＥＰの撮影により生成されたｓＲＧＢ基準画像データＥ３との間の実体−画像間色差ΔＥは値ｃｇ１となっている。この値ｃｇ１は、Ｃａｓｅ▲１▼と同じ光源下で撮影した図２３のＣａｓｅ１（従来例）における実体−画像間色差ΔＥの値Ｊｃｇ１よりも小さい。
【０１３８】
このように、Ｃａｓｅ▲１▼の場合に従来よりも実体−画像間色差ΔＥの値が小さくなったのは、被写体であるカラーチャートＥＰにおいて、カラーパッチが各色を積分すると無彩色になるように配列されていることに起因すると考えられる。即ち、このように配列したことで、ＷＢ制御部３５は、カラーチャートＥＰ全体の色合いを理由としてＲ，Ｇ，Ｂ各成分の構成比を変更する必要がなく、被写体の色に応じてＲＧＢ信号のバランスを調整することが不要となる。この結果、ホワイトバランスが取りやすくなる。換言すれば、光源の種類に応じてＲＧＢ信号を調整するだけで、カラーチャートＥＰの実物の正確な色合いを再現できるのである。
【０１３９】
また、被写体であるカラーチャートＥＰにおいて、カラーパッチが各色を積分するとＬ*≒５０の無彩色になるように配列されていることも、Ｃａｓｅ▲１▼の場合における実体−画像間色差ΔＥの値の減少に寄与していると考えられる。即ち、被写体であるカラーチャートＥＰは、その明るさや色をすべて混ぜ合わせると１８％グレーになるので、露出計１２による演算のみで適正露出を得ることができ、適正露出を得るために、露出補正により露出計１２の演算値に対して補正を加えたりする必要がない。使用者は、ダイヤルスイッチ１５の操作により撮影モードをフルオートモードに設定して撮影するだけで、カラーチャートＥＰの実物の正確な明るさを再現できるのである。
【０１４０】
図１７におけるＣａｓｅ▲２▼は、撮影モードをフルオートモードに設定し、蛍光灯下においてカラーチャートＥＰを撮影した場合を示している。この場合には、ホワイトバランスは自動的に「オート」に設定される。
【０１４１】
Ｃａｓｅ▲２▼において、カラーチャートＥＰと該カラーチャートＥＰの撮影により生成されたｓＲＧＢ基準画像データＥ３との間の実体−画像間色差ΔＥは、Ｃａｓｅ▲１▼の場合とほぼ同じ値ｃｇ１となっている。この値ｃｇ１は、Ｃａｓｅ▲２▼と同じ光源下で撮影した図２３のＣａｓｅ２（従来例）における実体−画像間色差ΔＥの値Ｊｃｇ２よりも小さい。
【０１４２】
Ｃａｓｅ▲２▼の場合に従来よりも実体−画像間色差ΔＥの値が小さくなったのは、上記したＣａｓｅ▲１▼の場合に従来よりも実体−画像間色差ΔＥの値が小さくなったことと同じ理由と考えられる。
【０１４３】
また、Ｃａｓｅ▲２▼の場合における実体−画像間色差ΔＥが、Ｃａｓｅ▲１▼の場合とほぼ同じ値ｃｇ１となったのは、被写体であるカラーチャートＥＰにおいて、カラーパッチが各色を積分すると無彩色になるように配列されていることに起因すると考えられる。即ち、このように配列したことで、ＷＢ制御部３５は、光源の種類に応じてＲＧＢ信号を調整するだけでよく、カラーチャートＥＰ全体の色に応じてＲＧＢ信号のバランスを調整する必要がない。従って、蛍光灯の光源の色成分を除去すれば、太陽光下と同じ色合い情報を有するｓＲＧＢ基準画像データＥ３を得ることができる。例えば、「蛍光灯の光源の色成分を除去したが、カラーチャートＥＰ全体の色に応じてＲＧＢ信号のバランスを調整したことによりカラーチャートの色合い情報が変化してしまい、この色合い情報の変化に起因して光源色の色かぶりが生じてしまう」といったことがない。
【０１４４】
また、被写体であるカラーチャートＥＰにおいて、カラーパッチが各色を積分するとＬ*≒５０の無彩色になるように配列されていることも、Ｃａｓｅ▲１▼とＣａｓｅ▲２▼との実体−画像間色差ΔＥの略同値化に寄与していると考えられる。即ち、被写体であるカラーチャートＥＰは、その明るさや色をすべて混ぜ合わせると１８％グレーになるので、Ｃａｓｅ▲２▼の場合においても、Ｃａｓｅ▲１▼の場合と同様に、露出計１２による演算のみで適正露出を簡単かつ確実に得ることができる。例えば、Ｃａｓｅ▲２▼の場合に、適正露出を得るために「光源が蛍光灯で暗めだから、ダイヤルスイッチ１５を操作して露出補正値を１ＥＶに設定する」などといった専門的な知見に基づく作業を行なわなくても、撮影モードをフルオートモードに設定して必要時に発光する自動フラッシュに任しておくだけで、適正露出を得ることができる。
【０１４５】
図１７におけるＣａｓｅ▲３▼は、撮影モードをマニュアルモードに設定し、ホワイトバランスを「固定−蛍光灯」に設定した状態（この状態を、図１７では「ＫＷＢ−ｋ」と表わす）で、蛍光灯下においてカラーチャートＥＰを撮影した場合を示している。
【０１４６】
Ｃａｓｅ▲３▼において、カラーチャートＥＰと該カラーチャートＥＰの撮影により生成されたｓＲＧＢ基準画像データＥ３との間の実体−画像間色差ΔＥは、Ｃａｓｅ▲１▼や▲２▼の場合とほぼ同じ値ｃｇ１となっている。この値ｃｇ１は、Ｃａｓｅ▲３▼と同じ光源下で撮影した図２３のＣａｓｅ３（従来例）における実体−画像間色差ΔＥの値Ｊｃｇ３よりも小さい。
【０１４７】
Ｃａｓｅ▲３▼の場合に従来よりも実体−画像間色差ΔＥの値が小さくなったのは、上記したＣａｓｅ▲１▼の場合に従来よりも実体−画像間色差ΔＥの値が小さくなったことと同じ理由と考えられる。
【０１４８】
また、Ｃａｓｅ▲３▼の場合における実体−画像間色差ΔＥが、Ｃａｓｅ▲１▼の場合とほぼ同じ値ｃｇ１となったのは、上記したＣａｓｅ▲２▼の場合に実体−画像間色差ΔＥが、Ｃａｓｅ▲１▼の場合とほぼ同じ値ｃｇ１となったことと同じ理由と考えられる。
【０１４９】
つまり、ホワイトバランスをオートモードに設定して、光源である蛍光灯の色成分を粗く除去した場合（Ｃａｓｅ▲２▼）と、ホワイトバランスを「蛍光灯固定」に設定して、光源である蛍光灯の色成分をより正確に除去した場合（Ｃａｓｅ▲３▼）とでは、ほぼ同じ色合い情報を有するｓＲＧＢ基準画像データＥ３を得ることができる。このことは、各カラーパッチの色の積分値を無彩色とし、カラーチャートＥＰ全体の色に応じたＲＧＢ信号のバランス調整を不要としたことが、ホワイトバランスの取りやすさや正確性に大きく寄与していることを裏付けている。
【０１５０】
以上、Ｃａｓｅ▲１▼ないしＣａｓｅ▲３▼を比較して説明したように、ディジタルスチルカメラ１０でカラーチャートＥＰを撮影した結果、撮影光源の種類やホワイトバランスの設定の相違に拘らず、ほぼ同じ色情報（色合い情報や明るさ情報）を有するｓＲＧＢ基準画像データＥ３が生成される。プリンタ４０では、こうしたｓＲＧＢ基準画像データＥ３に基づいてほぼ同じ内容のプロファイルＹＷが作成される（図１７のプロファイル▲１▼〜▲３▼を参照）。
【０１５１】
以上説明した本実施例の画像データ変換システムＭＡでは、各色を積分すると無彩色になるように配列されたカラーパッチを有するカラーチャートＥＰをディジタルスチルカメラ１０で撮影し、この撮影により生成されたｓＲＧＢ基準画像データＥ３に基づいてプロファイルＹＷを作成する。このため、ｓＲＧＢ基準画像データＥ３を生成する際に、カラーチャートＥＰを構成するカラーパッチの色合いがディジタルスチルカメラ１０側での「オート」設定時や「固定」設定時におけるホワイトバランス調整に影響を及ぼすことが少なく、ホワイトバランスを取りやすくなる。従って、カラーチャートＥＰを撮影する光源の種類の相違に拘らず、同じ色合いのｓＲＧＢ基準画像データＥ３を生成させることが可能となり、生成されたｓＲＧＢ基準画像データＥ３に基づくプロファイル作成処理を効率良く実現することができる。
【０１５２】
例えば、蛍光灯下でカラーチャートＥＰを撮影した場合において、カラーチャート全体の色合いに起因する色かぶり（緑かぶり）の発生が防止され、太陽光下での撮影と同様の撮影結果（ｓＲＧＢ基準画像データＥ３）を得ることができる。従って、カラーチャートＥＰの撮影後に蛍光灯下で対象物Ｈを撮影した場合に、色かぶりを除去するような色補正処理を行なう必要がない。このように、本実施例の画像データ変換システムＭＡでは、色かぶりの少ないｓＲＧＢ基準画像データＥ３や露出の過不足のないｓＲＧＢ基準画像データＥ３を基準としてプロファイルＹＷを作成可能となり、プロファイルＹＷの精度を向上することができる。
【０１５３】
また、本実施例の画像データ変換システムＭＡでは、撮影時の光源の種類やホワイトバランスの設定の相違に拘らず、一通りに定められた補正値（本実施例の場合には回帰係数）に基づいてプロファイルＹＷが作成される。従って、活用範囲が広く且つ精度の高いプロファイルＹＷを作成することができる。例えば、「作成されたプロファイルが、カラーチャートＥＰが特定の光源（例えば、蛍光灯）下で撮影された場合しか役に立たない」ということがなく、カラーチャートＥＰが多様な光源下やホワイトバランスの設定下で撮影された場合であっても、撮影された対象物Ｈの色をプリンタ４０において再現可能なプロファイルＹＷを提供することができる。
【０１５４】
また、ディジタルスチルカメラ１０に撮影されるカラーチャートＥＰは、複数のカラーパッチが各色を積分すると「Ｌ*≒５０の無彩色」になるように配列されている。従って、カラーチャートＥＰの撮影によってｓＲＧＢ基準画像データＥ３を生成する際に、カラーチャートＥＰ全体の色合いや明るさが必要露光量の演算に影響を及ぼすことが少なくなり、グレーバランスを取りやすくなる。従って、フルオート撮影モードで必要露光量を自動的に決定して簡易にカラーチャートを撮影した場合であっても、露出の過不足のない適正な明るさのｓＲＧＢ基準画像データＥ３を確実に生成させることが可能となる。例えば、ｓＲＧＢ基準画像データＥ３を生成する際に、撮影対象物であるカラーチャート全体の色合いや明るさに応じた露出補正を加える必要がない。
【０１５５】
また、カラーチャートＥＰは、Ｌ*の値が５０近傍のカラーパッチをチャート中央部に備える。従って、カラーチャートＥＰを、中央部重点測光（撮影有効領域の中央部分を重点的に測定すること）の露出計により露光量を自動的に決定するディジタルスチルカメラ１０で撮影する場合に、簡単且つより正確にグレーバランスを取ることが可能となる。カラーチャートＥＰ全体が撮影有効領域であるファインダ内に納まるように撮影すれば、チャート中央部のＬ*の値が５０近傍のカラーパッチを基準として必要な露光量が正確に決定され、チャート中央部よりも外側のカラーパッチの色が露光量の決定に影響することがない。従って、より適正な露出のｓＲＧＢ基準画像データＥ３を簡単かつ確実に生成することができる。
【０１５６】
更に、カラーチャートＥＰは、パッチデータ領域ＶＳの縦横の構成比率が、ディジタルスチルカメラのファインダの縦横の構成比率とほぼ同じとされる。従って、カラーチャートＥＰの撮影の際に、全てのカラーパッチを漏れなく確実に撮影することが可能となり、撮影の失敗を有効に防止することができる。
【０１５７】
また、カラーチャートＥＰのバックグラウンドデータ領域ＢＳは、Ｌ*の値が５０近傍の無彩色とされる。従って、ディジタルスチルカメラ１０によってカラーチャートＥＰを撮影する際に、パッチデータ領域ＶＳの周囲に写り込んだ色が、ホワイトバランスの調整度合や露光量に悪影響を与えてしまうということがない。
【０１５８】
カラーチャートＥＰには、ｓＲＧＢ色空間の領域外の色のカラーパッチが含まれる。従って、ｓＲＧＢ色空間の領域外の色（例えば、彩度の高い色）についても色かぶりや露出の過不足のないｓＲＧＢ基準画像データＥ３を生成可能となり、広い色域を正確にカバーしたプロファイル作成処理を行なうことができる。
【０１５９】
また、カラーチャートＥＰは、パッチデータ領域ＶＳの天地左右を識別する識別マークＺ１〜Ｚ４を、プロファイル作成処理を行なうプリンタ４０が認識可能な形式で備える。従って、プロファイル作成処理を行なう際に、カラーチャートＥＰの画像データから各カラーパッチの位置情報を正確に特定することが可能となり、画像データに基づく色の認識を容易かつ確実なものにすることができる。
【０１６０】
Ｂ．変形例
上記実施例では、画像データ生成装置をディジタルスチルカメラ１０によって構成し、チャート画像データ補正装置および色補正装置をプリンタ４０によって構成したが、チャート画像データ補正装置をコンピュータ９０によって構成し、色補正装置をプリンタ４０によって構成することも可能である。このような構成を、第１の変形例として図１８に示した。こうすれば、異なる複数の色補正装置についてのプロファイルをコンピュータ９０で効率的に作成ないし管理することが可能となり、ディジタルスチルカメラ１０やプリンタ４０の機種変更にも容易に対応することができる。
【０１６１】
また、画像データ生成装置をディジタルスチルカメラ１０によって構成し、チャート画像データ補正装置および色補正装置をコンピュータ９０によって構成してもよい。このような構成を、第２の変形例として図１９に示した。こうすれば、プロファイルＹＷの作成処理やプロファイルＹＷに基づく色補正処理をプリンタ４０内で行なう必要がなく、プリンタ４０をよりコンパクトに構成することができる（例えば、受け取ったデータの処理を行なわず、受け取ったデータをそのまま印刷するプリンタ等）。
【０１６２】
画像データ生成装置およびチャート画像データ補正装置をディジタルスチルカメラ１０によって構成し、色補正装置をプリンタ４０によって構成してもよい。このような構成を、第３の変形例として図２０に示した。このようにプロファイルＹＷの作成処理がディジタルスチルカメラ１０において行なわれることで、プロファイルを作成するためにカラーチャートＥＰの撮影結果（基準画像データＥ３）を他の装置に入力する必要がなく、簡便にプロファイルを作成することができる。
【０１６３】
また、画像データ生成装置，チャート画像データ補正装置および色補正装置をディジタルスチルカメラ１０によって構成することもできる。このような構成を、第４の変形例として図２１に示した。このような構成によれば、ディジタルスチルカメラ１０を所持する使用者がプリンタ４０でカラーチャートＥＰを印刷し、印刷されたカラーチャートＥＰを撮影するだけで、プロファイルＹＷがディジタルスチルカメラ１０内で自動的に作成される。以後、使用者が対象物を撮影した場合には、撮影により生成された画像データＨ１に対し、プロファイルＹＷに基づいた色補正処理がディジタルスチルカメラ１０内で自動的に実行される。従って、使用者の使い勝手をより一層改善することができる。
【０１６４】
なお、図１および図１８ないし図２１において、黒色の太矢印は画像データやプロファイル等の補正データの受け渡し経路を示しているが、こうしたデータの受け渡しは、メモリカード等の記録媒体によるものに限らず、ケーブルや通信回線等を用いて行なうものであってもよい。
【０１６５】
上記実施例では、プリンタ４０によってカラーチャートＥＰの画像を用紙Ｐ上に印刷し、この用紙Ｐ上のカラーチャートＥＰをディジタルスチルカメラ１０で撮影することとしたが、カラーチャートの画像をプリンタ４０から出力せず、テスト撮影用のカラーチャートＥＰＫとして予め用意しておくことも可能である。このようなカラーチャートＥＰＫの構成としては、例えば、各カラーパッチを本実施例と同様の配列で板体に張り付け、各カラーパッチの張り付け領域の周囲に１８％グレーのフレームをセットする構成等を考えることができる。
【０１６６】
テスト撮影用のカラーチャートＥＰＫを予め用意した場合の画像データ変換システムＭＡＫを、第５の変形例として図２２に示した。図２２に示すように、画像データ変換システムＭＡＫでは、記憶部５１に、各カラーパッチの色をＬ*ａ*ｂ*色空間によって表現したときの基準色彩値の情報と、この基準色彩値をｗＲＧＢ色空間によって表現したときの表色値の情報が、基準画像データＥ０Ｋとして記憶されている。この基準画像データＥ０Ｋは、予め記憶部５１に記憶しておいてもよいし、記憶部５１に事後的に付与してもよい。
【０１６７】
このような第５の変形例の場合にも、カラーチャートＥＰＫの撮影により、ＹＣｂＣｒ表色値からＬ*ａ*ｂ*色彩値への変換式である式１およびＬ*ａ*ｂ*色空間からｗＲＧＢ色空間への変換式である式２の二つの式を作成することが可能であり、この二つの式を合わせて上記実施例と同様のプロファイルＹＷを作成することができる。
【０１６８】
以上、本発明の実施例ないし変形例について説明したが、本発明は、こうした実施例等に限定されるものではなく、発明の要旨を逸脱しない範囲内において、種々なる態様で実施可能である。
【０１６９】
例えば、上述したカラーチャートＥＰの基準画像データを生成する処理や基準画像データに基づいてプロファイルを作成する処理の内容を、ＲＯＭやＣＤ−ＲＯＭ等の記録媒体にコンピュータによる読み取りが可能な形式で記録する構成としてもよい。このような記録媒体によれば、記録媒体に記録された内容をコンピュータが読み取ることにより、カラーチャートＥＰについて、撮影光源色による色かぶりが少ない基準画像データを得ることが可能となり、しかも、撮影光源の種類やホワイトバランスの設定の相違に拘らず、同じ色合いの基準画像データを生成することができる。従って、精度が高く且つ活用範囲の広いプロファイルＹＷを作成することができる。なお、上記した記録媒体の構成に関しては、カラーチャートＥＰの基準画像データを生成する処理や基準画像データに基づいてプロファイルを作成する処理のうちの一部を、ＲＯＭやＣＤ−ＲＯＭ等の記録媒体にコンピュータによる読み取りが可能に記録する構成としてもよい。
【０１７０】
上記実施例ないし変形例では、ｓＲＧＢ基準画像データＥ３をプロファイルＹＷの作成に利用したが、ｓＲＧＢ基準画像データＥ３をプロファイルの作成以外の用途に利用することも可能である。特に、ｓＲＧＢ基準画像データＥ３の色情報を補正し、補正後の画像データをディジタルスチルカメラ１０や他の装置において利用するような場合には有用である。つまり、カラーチャートＥＰの撮影により、撮影光源の種類やホワイトバランスの設定の相違に拘らずほぼ同じ色情報を有するｓＲＧＢ基準画像データＥ３が生成されれば、このｓＲＧＢ基準画像データＥ３に基づいていずれの撮影環境にも共通の一の補正値を定めることができる。従って、色補正処理を統一的かつ効率的に実現することができる。
【０１７１】
カラーチャートＥＰの構造は、上記実施例で示したものに限らず、適宜変更を加えることができる。上記実施例では、オートホワイトバランス機能で撮影した結果には、光源の色だけでなく、被写体そのものの色の影響もあることを考慮し、被写体であるカラーチャートＥＰの色を「画像全体の平均が無彩色」としている。よって、カラーチャートＥＰは、ホワイトバランスの調整パラメータが予め規定されているディジタルスチルカメラ１０により、ホワイトバランスを上記予め規定された調整パラメータに設定した状態で撮影された場合に、ディジタルスチルカメラ１０のホワイトバランスが取りやすくなる構造であればよい。
【０１７２】
また、上記実施例では、ディジタルスチルカメラ１０とプリンタ４０との間における画像データ変換システムＭＡについて説明したが、ディジタルスチルカメラ１０に替えて、基準となる色空間がプリンタ４０と異なる他の画像データ生成装置を適用することも可能である。このような画像データ生成装置としては、ディジタルスチルカメラを備えたデジタル機器（例えば、デジタルカメラ付きパソコンやデジタルカメラ付き携帯電話）やスキャナ，ディジタルビデオカメラ等を考えることができる。
【０１７３】
また、ディジタルスチルカメラ１０，スキャナ，ディジタルビデオカメラという異なる種類の画像データ生成装置ごとに作成された複数のプロファイルをプリンタ４０による読み取り可能に記憶することも、異なる画像データ生成装置によって取得された一の画像を同じ色で印刷することが可能となる点で好適である。
【０１７４】
上記実施例において用いた色空間はあくまでも例示であり、ディジタルスチルカメラ１０等の画像データ生成装置やプリンタ４０やコンピュータ９０等の色補正装置において他の色空間を用いても差し支えない。基準とされる色空間が画像データ生成装置と色補正装置との間で異なっており、画像データ生成装置において生成された画像データが画像データ生成装置の有する色空間を反映して生成されるものであれば、本発明を適用することができる。
【０１７５】
また、画像データ生成装置や色補正装置において、画像データの生成に基準とされる色空間を複数の色空間の中から選択可能に構成してもよい。この場合であっても、基準とされる色空間が画像データ生成装置と色補正装置との間で異なっていれば、上記実施例の画像データ変換システムＭＡを適用して画像データ生成装置と色補正装置との間のプロファイルＹＷを作成することができる。
【０１７６】
上記実施例の画像データ変換システムＭＡにおいて、プリンタ４０に替えて、基準とされる色空間が画像データ生成装置と異なる他の装置を適用することも可能である。このような他の装置としては、各種のデジタル機器に表示用として設けられるモニタ等を考えることができる。
【０１７７】
また、上記実施例では、Ｅｘｉｆ形式の画像ファイルを例にとって説明したが、画像ファイルの形式はこれに限られるものではなく、画像出力装置によって出力されるべき画像データと、該画像データの形成に基準とされた色空間に関する情報とが少なくとも含まれている画像ファイルであれば良い。機種名情報が含まれる画像ファイルとすれば、なお好適である。
【０１７８】
上記実施例におけるプリンタ４０ないしコンピュータ９０はあくまで例示であり、その構成は各実施例の記載内容に限定されるものではない。プリンタ４０ないしコンピュータ９０は、少なくとも画像データを読み取り、この読み取り結果に基づいてプロファイルＹＷを作成できるものであればよい。
【図面の簡単な説明】
【図１】本発明の実施例である画像データ変換システムＭＡにおける特徴的な構成を示す説明図である
【図２】画像データ変換システムＭＡの概要を示す説明図である。
【図３】プロファイル作成処理ルーチンを示すフローチャートである。
【図４】カラーチャートＥＰが印刷された状態の用紙Ｐを示す説明図である。
【図５】基準画像データＥ０が記憶された状態の基準テーブルＢＴを示す説明図である。
【図６】図３のステップＳ２７０における対応関係決定処理の詳細を対応関係決定処理ルーチンとして示すフローチャートである。
【図７】ＹＣｂＣｒ基準画像データＥ５のＹＣｂＣｒ表色値が書き込まれた状態の対応テーブルＣＴを示す説明図である。
【図８】対応関係決定処理が制御機構５０の各機能部によって行なわれる様子を示すブロック図である。
【図９】図３のステップＳ２８０における回帰演算処理の詳細を回帰演算処理ルーチンとして示すフローチャートである。
【図１０】回帰演算処理が制御機構５０の各機能部によって行なわれる様子を示すブロック図である。
【図１１】画像忠実印刷処理ルーチンを示すフローチャートである。
【図１２】プロファイルＹＷに基づくＹＣｂＣｒ色空間からｗＲＧＢ色空間への変換処理が制御機構５０の各機能部によって行なわれる様子を示すブロック図である。
【図１３】画像データ変換システムＭＡを適用した場合における、ディジタルスチルカメラ１０によって取得された画像の色とプリンタ４０によって印刷される色との関係を示す説明図である。
【図１４】ディジタルスチルカメラ１０が備えるホワイトバランスないし露出の調整機構をブロック図として示す説明図である。
【図１５】ホワイトバランスないし露出に関する条件として設定可能な項目および設定値を示す説明図である。
【図１６】カラーチャートＥＰにおける各カラーパッチの色彩値に応じた配置関係を示す説明図である。
【図１７】プリンタ４０により印刷されたカラーチャートＥＰを異なる撮影環境の下でディジタルスチルカメラ１０により撮影した結果を示す説明図である。
【図１８】第１の変形例を示す説明図である。
【図１９】第２の変形例を示す説明図である。
【図２０】第３の変形例を示す説明図である。
【図２１】第４の変形例を示す説明図である。
【図２２】第５の変形例を示す説明図である。
【図２３】従来例を示す説明図である。
【符号の説明】
１０，Ｊ１０…ディジタルスチルカメラ
１１…メモリカードスロットル
１２…露出計
１３…絞り板
１４…レンズ
１５…ダイヤルスイッチ
１６…フラッシュ
２０…制御機構
２２…データ生成部
２４…色変換部
２６…圧縮部
２８…設定管理部
３０…露出制御部
３１…絞り管理部
３２…シャッター速度管理部
３３…露出補正部
３４…フラッシュ実行部
３５…ＷＢ制御部
３６…調整度合記憶部
４０，Ｊ４０…プリンタ
４１…メモリカードドライブ
５０…制御機構
５１…記憶部
５３…指令部
５５…Ｌ−ｗ演算部
５６…色分解部
５８…出力部
６０…データ受取部
６４…関係決定部
６５…表色値特定部
６６…色変換表作成部
６７…色変換表記憶部
６８…色空間変換部
６９…Ｙ−ｗ演算部
９０，Ｊ９０…コンピュータ
ＢＳ…バックグラウンドデータ領域
ＢＴ…基準テーブル
ＣＴ…対応テーブル
ＣＶ…ケーブル
Ｅ…基準画像
Ｅ０…基準画像データ
Ｅ１…ｗＲＧＢ基準画像データ
Ｅ２…ＣＭＹＫ基準画像データ
Ｅ３…ｓＲＧＢ基準画像データ
Ｅ４…ＹＣｂＣｒ基準画像データ
Ｅ５…ＹＣｂＣｒ基準画像データ
ＥＰ，ＥＰＫ，ＪＶ…カラーチャート
ＦＬ…配列情報
Ｈ…対象物
Ｈ１…ｓＲＧＢ画像データ
Ｈ２…ＹＣｂＣｒ画像データ
Ｈ３…ＹＣｂＣｒ画像データ
Ｈ４…ｗＲＧＢ画像データ
Ｈ５…ＣＭＹＫ画像データ
Ｈ６…ｓＲＧＢ画像データ
ＪＭ…基礎演算式
ＬＱ…基準色彩値情報
ＭＡ，ＭＡＫ…画像データ変換システム
ＭＡ１…プロファイル作成モジュール
ＭＡ２…画像印刷モジュール
ＭＣ…メモリカード
Ｐ…用紙
ＳＢ…識別情報
ＶＳ…パッチデータ領域
ＷＱ…ｗＲＧＢ表色値情報
ＹＱ…ＹＣｂＣｒ表色値情報
ＹＷ…プロファイル
ＺＤ…識別データ
Ｚ１，Ｚ２，Ｚ３，Ｚ４…識別マーク
【図１】
0004178788.tif 000002
【図２】
0004178788.tif 000003
【図３】
0004178788.tif 000004
【図４】
0004178788.tif 000005
【図５】
0004178788.tif 000006
【図６】
0004178788.tif 000007
【図７】
0004178788.tif 000008
【図８】
0004178788.tif 000009
【図９】
0004178788.tif 000010
【図１０】
0004178788.tif 000011
【図１１】
0004178788.tif 000012
【図１２】
0004178788.tif 000013
【図１３】
0004178788.tif 000014
【図１４】
0004178788.tif 000015
【図１５】
0004178788.tif 000016
【図１６】
0004178788.tif 000017
【図１７】
0004178788.tif 000018
【図１８】
0004178788.tif 000019
【図１９】
0004178788.tif 000020
【図２０】
0004178788.tif 000021
【図２１】
0004178788.tif 000022
【図２２】
0004178788.tif 000023
【図２３】
0004178788.tif 000024